(57)【要約】本発明は、反応ウエルの配列を有する反応ブロック（１０２）を備えた平行反応装置（１００）に関する。本発明の装置は通常、蓋上に配置された突起の配列（１１６）を有する蓋（１１０、１１２）も備える。突起（１１６）は、反応ウエル及び／又は取付部品（１０６、１０８）と軸方向に整列している。取付部品は、反応ブロック（１０２）から蓋（１１０、１１２）を取り外すことができるヒンジを含む。
2005501698.tif 000002
【特許請求の範囲】
【請求項１】
（ａ）各々入口部及び出口部を有する複数の反応ウエルの配列を含む反応ブロックであって、該配列中の少なくとも１つの反応ウエルは反応ブロックを貫通して配置された該反応ブロック、
（ｂ）前記反応ブロックに少なくとも１つの頂部取付部品により取付けられ、該反応ブロックと噛み合う表面上に配置された少なくとも１つの突起を有する頂部蓋であって、該突起は、頂部ガスケットを押圧し反応ウエルの入口部と接触して入口部を密封する該頂部蓋、及び
（ｃ）前記反応ブロックに少なくとも１つの底部取付部品により取付けられ、底部ガスケットを押圧し反応ウエルの出口部と接触して出口部を密封する底部蓋、
を備えた平行反応装置。
【請求項２】
前記反応ブロックが使い捨てである請求項１に記載の平行反応装置。
【請求項３】
前記反応ブロックが、他の入口部から去った流動性材料を導くため、隣接する反応ウエルの入口部間に入口部に隣接して配置された凹部を有する請求項１に記載の平行反応装置。
【請求項４】
前記反応ウエルの少なくとも断片が、正ｎ−辺多角形、ｎ−不等辺多角形、三角形、四角形、丸型四角形、長方形、丸型長方形、台形、円形、及び楕円形よりなる群から独立に選ばれた内側及び外側断面形状を有する請求項１に記載の平行反応装置。
【請求項５】
前記反応ウエルの少なくとも２つの領域が、異なる内側及び外側断面寸法を有する請求項１に記載の平行反応装置。
【請求項６】
１つ以上の反応ウエルが、ウエル内部に配置されたフィルターを有する請求項１に記載の平行反応装置。
【請求項７】
前記反応ウエルの配列の出口部が、ミクロウエルプレートのウエルに対応する足型を有する請求項１に記載の平行反応装置。
【請求項８】
前記出口部が、反応ウエルの他の領域よりも小さい内側断面寸法の出口噴出口を有し、かつ該出口噴出口と反応ウエルの他の領域との間の遷移領域が、険しいか或いは先細りである請求項１に記載の平行反応装置。
【請求項９】
前記突起が、入口部からの流動性材料の漏れを防止し、これにより反応ウエル間の相互汚染を減少させる請求項１に記載の平行反応装置。
【請求項１０】
前記突起が、頂部ガスケットを押圧し反応ウエルの入口部と接触して入口部を放射状に密封する請求項１に記載の平行反応装置。
【請求項１１】
前記頂部蓋が、反応ウエルの配列に対応する突起の配列を有する請求項１に記載の平行反応装置。
【請求項１２】
前記頂部蓋が、全ての入口部に亘って、実質的に均等な締付け負荷を生じる請求項１に記載の平行反応装置。
【請求項１３】
前記頂部取付部品が、少なくとも１つのヒンジ及び少なくとも１つのラッチを有する請求項１に記載の平行反応装置。
【請求項１４】
前記底部蓋が、全ての出口部に亘って、実質的に均等な締付け負荷を生じる請請求項１に記載の平行反応装置。
【請求項１５】
前記底部取付部品が、少なくとも１つのヒンジ及び少なくとも１つのラッチを有する請求項１に記載の平行反応装置。
【請求項１６】
前記底部蓋が、反応ブロックと噛み合う表面上に配置された少なくとも１つの突起を更に有し、該突起は、底部ガスケットを押圧し反応ウエルの出口部と接触して出口部を密封する請求項１に記載の平行反応装置。
【請求項１７】
前記頂部及び底部の蓋が、取外し可能に反応ブロックに取付けられる請求項１に記載の平行反応装置。
【請求項１８】
前記頂部及び底部の蓋が、互いに独立に開く請求項１に記載の平行反応装置。
【請求項１９】
前記頂部及び底部の蓋が、金属又は高分子の材料を有する請求項１に記載の平行反応装置。
【請求項２０】
前記頂部及び底部の各蓋が、制御装置に対し平行反応装置を整合させるため、該制御装置上の少なくとも第二整合構造に相補的な少なくとも第一整合構造を有する請求項１に記載の平行反応装置。
【請求項２１】
前記頂部ガスケットが、入口部と軸方向に整列する少なくとも１つの突起を有する請求項１に記載の平行反応装置。
【請求項２２】
前記底部ガスケットが、出口部と軸方向に整列する少なくとも１つの突起を有する請求項１に記載の平行反応装置。
【請求項２３】
前記頂部及び底部のガスケットが、ガスケット材料のシートを含む請求項１に記載の平行反応装置。
【請求項２４】
前記頂部及び底部のガスケットの少なくとも１方が、突起の配列を有し、該突起の少なくとも１つは、反応ウエルと軸方向に整列している請求項１に記載の平行反応装置。
【請求項２５】
前記反応ブロックが、ガラス、金属又はポリマーの１つ以上を有する請求項１に記載の平行反応装置。
【請求項２６】
前記ポリマーが、ポリテトラフルオロエチレンを含む請求項２５に記載の平行反応装置。
【請求項２７】
前記反応ブロックが、６、１２、２４、４８、９６、３８４、１５３６、又はそれ以上の反応ウエルを有する請求項１に記載の平行反応装置。
【請求項２８】
前記各反応ウエルが、反応ブロックを貫通して配置される請求項２７に記載の平行反応装置。
【請求項２９】
前記頂部蓋が、該頂部蓋を貫通して配置された開口の配列を更に有し、少なくとも１つの開口は、反応ウエルと軸方向に整列している請求項１に記載の平行反応装置。
【請求項３０】
前記開口及び頂部ガスケットを通って流動性材料が、針から反応ウエル中に導入される請求項２９に記載の平行反応装置。
【請求項３１】
前記開口が、先細りである請求項２９に記載の平行反応装置。
【請求項３２】
前記開口配列の各部材が、１つの異なる反応ウエルと軸方向に整列している請求項２９に記載の平行反応装置。
【請求項３３】
前記突起が、開口の周りに配列された環状の突出隆起を有する請求項２９に記載の平行反応装置。
【請求項３４】
前記環状突出隆起が頂部ガスケットを押圧し反応ウエルの入口部と接触して該入口部を放射状に密封する請求項３３に記載の平行反応装置。
【請求項３５】
前記反応ブロックが、各表面の中央点に隣接する反応ブロックの対向する表面に配置された少なくとも１対の実質的に対向する凹み領域を有し、該対向凹み領域に頂部及び底部の取付部品を載せている請求項１に記載の平行反応装置。
【請求項３６】
前記頂部及び底部の取付部品が、
（ｉ）前記対向凹み領域内の反応ブロックの周りに配置され、かつ少なくとも１つの第一頂部ヒンジ部品、少なくとも１つの第一頂部ラッチ部品、少なくとも１つの第一底部ヒンジ部品、及び少なくとも１つの第一底部ラッチ部品を備えたバンド、
（ｉｉ）各々前記頂部蓋に取付けた、前記第一頂部ヒンジ部品と取外し可能に噛み合う少なくとも１つの第二頂部ヒンジ部品及び前記第一頂部ラッチ部品と取外し可能に噛み合う少なくとも１つの第二頂部ラッチ部品、並びに
（ｉｉｉ）各々前記底部蓋に取付けた、前記第一底部ヒンジ部品と取外し可能に噛み合う少なくとも１つの第二底部ヒンジ部品及び前記第一底部ラッチ部品と取外し可能に噛み合う少なくとも１つの第二底部ラッチ部品、
を有する請求項３５に記載の平行反応装置。
【請求項３７】
前記各ヒンジ部品が、独立に雄型又は雌型の離昇式ヒンジ部品を有する請求項３６に記載の平行反応装置。
【請求項３８】
前記各ラッチ部品が、独立にラッチ本体又は保持板を有する請求項３６に記載の平行反応装置。
【請求項３９】
前記ラッチ本体が、回転可能な引抜き式ラッチ本体を有する請求項３８に記載の平行反応装置。
【請求項４０】
（ａ）各々入口部及び出口部を有する複数の反応ウエルの配列を含む反応ブロックであって、該配列中の少なくとも１つの反応ウエルは反応ブロックを貫通して配置された該反応ブロック、
（ｂ）前記反応ブロックに少なくとも１つの頂部ヒンジ部品及び少なくとも１つの頂部ラッチ部品により取付けられ、頂部ガスケットを押圧し反応ウエルの入口部と接触して入口部を密封する頂部蓋、及び
（ｃ）前記反応ブロックに少なくとも１つの底部ヒンジ部品及び少なくとも１つの底部ラッチ部品により取付けられ、底部ガスケットを押圧し反応ウエルの出口部と接触して出口部を密封する底部蓋、
を備えた平行反応装置。
【請求項４１】
前記反応ブロックが使い捨てである請求項４０に記載の平行反応装置。
【請求項４２】
前記反応ブロックが、他の入口部から去った流動性材料を導くため、隣接する反応ウエルの入口部間に入口部に隣接して配置された凹部を有する請求項４０に記載の平行反応装置。
【請求項４３】
前記反応ウエルの少なくとも断片が、正ｎ−辺多角形、ｎ−不等辺多角形、三角形、四角形、丸型四角形、長方形、丸型長方形、台形、円形、及び楕円形よりなる群から独立に選ばれた内側及び外側断面形状を有する請求項４０に記載の平行反応装置。
【請求項４４】
前記反応ウエルの少なくとも２つの領域が、異なる内側及び外側断面寸法を有する請求項４０に記載の平行反応装置。
【請求項４５】
１つ以上の反応ウエルが、ウエル内部に配置されたフィルターを有する請求項４０に記載の平行反応装置。
【請求項４６】
前記反応ウエルの配列の出口部が、ミクロウエルプレートのウエルに対応する足型を有する請求項４０に記載の平行反応装置。
【請求項４７】
前記出口部が、反応ウエルの他の領域よりも小さい内側断面寸法の出口噴出口を有し、かつ該出口噴出口と反応ウエルの他の領域との間の遷移領域が、険しいか或いは先細りである請求項４０に記載の平行反応装置。
【請求項４８】
前記頂部蓋が、全ての入口部に亘って、実質的に均等な締付け負荷を生じる請求項１に記載の平行反応装置。
【請求項４９】
前記頂部ヒンジ部品が、少なくとも１つの離昇式ヒンジを有する請求項４０に記載の平行反応装置。
【請求項５０】
前記底部ヒンジ部品が、少なくとも１つの離昇式ヒンジを有する請求項４０に記載の平行反応装置。
【請求項５１】
前記底部蓋が、全ての出口部に亘って、実質的に均等な締付け負荷を生じる請請求項４０に記載の平行反応装置。
【請求項５２】
前記頂部蓋が、反応ブロックと噛み合う表面上に配置された少なくとも１つの突起を更に有し、該突起は、頂部ガスケットを押圧し反応ウエルの入口部と接触して入口部を密封する請求項４０に記載の平行反応装置。
【請求項５３】
前記底部蓋が、反応ブロックと噛み合う表面上に配置された少なくとも１つの突起を更に有し、該突起は、底部ガスケットを押圧し反応ウエルの出口部と接触して出口部を密封する請求項４０に記載の平行反応装置。
【請求項５４】
前記頂部及び底部の蓋が、取外し可能に反応ブロックに取付けられる請求項４０に記載の平行反応装置。
【請求項５５】
前記頂部及び底部の蓋が、互いに独立に開く請求項４０に記載の平行反応装置。
【請求項５６】
前記頂部及び底部の蓋が、金属又は高分子の材料を有する請求項４０に記載の平行反応装置。
【請求項５７】
前記頂部及び底部の各蓋が、制御装置に対し平行反応装置を整合させるため、該制御装置上の少なくとも第二整合構造に相補的な少なくとも第一整合構造を有する請求項４０に記載の平行反応装置。
【請求項５８】
前記頂部ガスケットが、入口部と軸方向に整列する少なくとも１つの突起を有する請求項４０に記載の平行反応装置。
【請求項５９】
前記底部ガスケットが、出口部と軸方向に整列する少なくとも１つの突起を有する請求項４０に記載の平行反応装置。
【請求項６０】
前記頂部及び底部のガスケットが、ガスケット材料のシートを有する請求項４０に記載の平行反応装置。
【請求項６１】
前記頂部及び底部のガスケットの少なくとも１方が、突起の配列を有し、該突起の少なくとも１つは、反応ウエルと軸方向に整列している請求項４０に記載の平行反応装置。
【請求項６２】
前記反応ブロックが、ガラス、金属又はポリマーの１つ以上を有する請求項４０に記載の平行反応装置。
【請求項６３】
前記ポリマーが、ポリテトラフルオロエチレンを含む請求項６２に記載の平行反応装置。
【請求項６４】
前記反応ブロックが、６、１２、２４、４８、９６、３８４、１５３６、又はそれ以上の反応ウエルを有する請求項４０に記載の平行反応装置。
【請求項６５】
前記各反応ウエルが、反応ブロックを貫通して配置される請求項６４に記載の平行反応装置。
【請求項６６】
前記頂部蓋が、該頂部蓋を貫通して配置された開口の配列を更に有し、少なくとも１つの開口は、反応ウエルと軸方向に整列している請求項４０に記載の平行反応装置。
【請求項６７】
前記開口及び頂部ガスケットを通って流動性材料が、針から反応ウエル中に導入される請求項６６に記載の平行反応装置。
【請求項６８】
前記開口が、先細りである請求項６６に記載の平行反応装置。
【請求項６９】
前記開口配列の各部材が、異なる反応ウエルと軸方向に整列している請求項６６に記載の平行反応装置。
【請求項７０】
前記開口の周りに配列された環状の突出隆起を更に有する請求項６６に記載の平行反応装置。
【請求項７１】
前記環状突出隆起が頂部ガスケットを押圧し反応ウエルの入口部と接触して該入口部を放射状に密封する請求項７０に記載の平行反応装置。
【請求項７２】
反応ウエルの配列を備えた反応ブロックであって、該配列の少なくとも１つの反応ウエルは、入口部及び出口部を有し、該反応ブロックは、各表面の中央点に隣接する反応ブロックの対向する表面に配置された少なくとも１対の実質的に対向する凹み領域を有し、該対向凹み領域に少なくとも１つの蓋取付部品を載せている該反応ブロック。
【請求項７３】
前記反応ブロックが使い捨てである請求項７２に記載の反応ブロック。
【請求項７４】
前記反応ブロックが、他の入口部から去った流動性材料を導くため、隣接する反応ウエルの入口部間に入口部に隣接して配置された凹部を有する請求項７２に記載の反応ブロック。
【請求項７５】
前記反応ウエルの少なくとも断片が、正ｎ−辺多角形、ｎ−不等辺多角形、三角形、四角形、丸型四角形、長方形、丸型長方形、台形、円形、及び楕円形よりなる群から独立に選ばれた内側及び外側断面形状を有する請求項７２に記載の反応ブロック。
【請求項７６】
前記反応ウエルの少なくとも２つの領域が、異なる内側及び外側断面寸法を有する請求項７２に記載の反応ブロック。
【請求項７７】
１つ以上の反応ウエルが、ウエル内部に配置されたフィルターを有する請求項７２に記載の反応ブロック。
【請求項７８】
前記反応ウエルの配列の出口部が、ミクロウエルプレートのウエルに対応する足型を有する請求項７２に記載の反応ブロック。
【請求項７９】
前記出口部が、反応ウエルの他の領域よりも小さい内側断面寸法の出口噴出口を有し、かつ該出口噴出口と反応ウエルの他の領域との間の遷移領域が、険しいか或いは先細りである請求項７２に記載の反応ブロック。
【請求項８０】
前記反応ブロックが、ガラス、金属又はポリマーの１つ以上を有する請求項７２に記載の反応ブロック。
【請求項８１】
前記ポリマーが、ポリテトラフルオロエチレンを含む請求項８０に記載の反応ブロック。
【請求項８２】
前記反応ブロックが、６、１２、２４、４８、９６、３８４、１５３６、又はそれ以上の反応ウエルを有する請求項７２に記載の平行反応装置。
【請求項８３】
前記各反応ウエルが、反応ブロックを貫通して配置される請求項８２に記載の反応ブロック。
【請求項８４】
（ａ）各々入口部及び出口部を有する複数の反応ウエルの配列を含む反応ブロックであって、該配列中の少なくとも１つの反応ウエルは反応ブロックを貫通して配置された該反応ブロック、
（ｂ）前記反応ブロックに少なくとも１つの頂部ヒンジ部品及び少なくとも１つの頂部ラッチ部品により取付けられ、該反応ブロックと噛み合う表面上に配置された少なくとも１つの突起を有する頂部蓋であって、該突起は、頂部ガスケットを押圧し反応ウエルの入口部と接触して入口部を密封する該頂部蓋、及び
（ｃ）前記反応ブロックに少なくとも１つの底部ヒンジ部品及び少なくとも１つの底部ラッチ部品により取付けられ、底部ガスケットを押圧し反応ウエルの出口部と接触して出口部を密封する底部蓋、
を備えた平行反応装置。
【請求項８５】
（ａ）少なくとも１つの第一頂部ヒンジ部品、少なくとも１つの第一頂部ラッチ部品、少なくとも１つの第一底部ヒンジ部品、及び少なくとも１つの第一底部ラッチ部品を備えたバンドであって、該バンドの複数部分は、反応ブロック上の複数の対向する凹み領域に載荷可能である該バンド、
（ｂ）少なくとも１つの第二頂部ヒンジ部品及び少なくとも１つの第二頂部ラッチ部品を取付けた頂部蓋であって、第二頂部ヒンジ部品は、前記第一頂部ヒンジ部品と噛み合い、第二頂部ラッチ部品は、前記第一頂部ラッチ部品と取外し可能に噛み合う該頂部蓋、及び
（ｃ）少なくとも１つの第二底部ヒンジ部品及び少なくとも１つの第二底部ラッチ部品を取付けた底部蓋であって、第二底部ヒンジ部品は、前記第一底部ヒンジ部品と噛み合い、第二底部ラッチ部品は、前記第一底部ラッチ部品と取外し可能に噛み合う該底部蓋、
を備えた反応ブロック容器。
【請求項８６】
前記各ヒンジ部品が、独立に雄型又は雌型の離昇式ヒンジ部品を有する請求項８５に記載の反応ブロック容器。
【請求項８７】
前記各ラッチ部品が、独立にラッチ本体又は保持板を有する請求項８５に記載の反応ブロック容器。
【請求項８８】
前記ラッチ本体が、回転可能な引抜き式ラッチ本体を有する請求項８７に記載の反応ブロック容器。
【請求項８９】
前記頂部蓋、底部蓋又はその両方が、反応ブロックと噛み合う表面上に配置された少なくとも１つの突起を更に有し、該突起は、反応ブロック容器が更に反応ブロック及びガスケットを含む時、ガスケットを押圧し少なくとも１つの反応ウエルの少なくとも一部と接触する請求項８５に記載の反応ブロック容器。
【請求項９０】
前記頂部及び底部の蓋が、互いに独立に開く請求項８５に記載の反応ブロック容器。
【請求項９１】
前記頂部蓋が、該頂部蓋を貫通して配置された開口の配列を更に有し、少なくとも１つの開口は、反応ブロック中に配置された少なくとも１つの反応ウエルと軸方向に整列している請求項８５に記載の反応ブロック容器。
【請求項９２】
前記開口配列の各部材が、反応ブロック中に配置された１つの異なる反応ウエルと軸方向に整列している請求項９１に記載の反応ブロック容器。
【請求項９３】
前記開口の周りに配置された環状突出隆起を更に有する請求項９１に記載の反応ブロック容器。
【請求項９４】
（ａ）少なくとも１つの第一頂部ヒンジ部品、少なくとも１つの第一頂部ラッチ部品、少なくとも１つの第一底部ヒンジ部品、及び少なくとも１つの第一底部ラッチ部品を備えたバンドであって、該バンドの複数部分は、反応ブロック上の複数の対向する凹み領域に載荷可能である該バンド、
（ｂ）反応ブロックと噛み合う表面上に配置された少なくとも１つの突起を有する頂部蓋であって、該突起は、ガスケットを押圧して反応ブロックの少なくとも１つの反応ウエルの少なくとも一部と接触可能であり、該頂部蓋には、少なくとも１つの第二頂部ヒンジ部品及び少なくとも１つの第二頂部ラッチ部品が取付けられ、第二頂部ヒンジ部品は、前記第一頂部ヒンジ部品と噛み合い、第二頂部ラッチ部品は、前記第一頂部ラッチ部品と取外し可能に噛み合う該頂部蓋、及び
（ｃ）少なくとも１つの第二底部ヒンジ部品及び少なくとも１つの第二底部ラッチ部品を取付けた底部蓋であって、第二底部ヒンジ部品は、前記第一底部ヒンジ部品と噛み合い、第二底部ラッチ部品は、前記第一底部ラッチ部品と取外し可能に噛み合う該底部蓋、
を備えた反応ブロック容器。
【請求項９５】
前記各ヒンジ部品が、独立に雄型又は雌型の離昇式ヒンジ部品を有する請求項９４に記載の反応ブロック容器。
【請求項９６】
前記各ラッチ部品が、独立にラッチ本体又は保持板を有する請求項９４に記載の反応ブロック容器。
【請求項９７】
前記ラッチ本体が、回転可能な引抜き式ラッチ本体を有する請求項９６に記載の反応ブロック容器。
【請求項９８】
前記頂部及び底部の蓋が、互いに独立に開く請求項９４に記載の反応ブロック容器。
【請求項９９】
前記頂部蓋が、該頂部蓋を貫通して配置された開口の配列を更に有し、少なくとも１つの開口は、反応ブロック中に配置された少なくとも１つの反応ウエルと軸方向に整列している請求項９４に記載の反応ブロック容器。
【請求項１００】
前記開口配列の各部材が、反応ブロック中に配置された１つの異なる反応ウエルと軸方向に整列している請求項９９に記載の反応ブロック容器。
【請求項１０１】
前記開口の周りに配置された環状突出隆起を更に有する請求項９９に記載の反応ブロック容器。
【請求項１０２】
蓋を反応ブロックに取付けた時、ガスケットを押圧し反応ウエルの配列を備えた反応ブロックの少なくとも１つの反応ウエルの少なくとも一部と接触して該反応ウエルを密封できる少なくとも１つの突起を有する該蓋。
【請求項１０３】
前記蓋が、反応ウエルの配列に対応する突起の配列を有する請求項１０２に記載の蓋。
【請求項１０４】
前記蓋を貫通して配置された開口の配列を更に有し、該少なくとも１つの開口は、反応ウエルと軸方向に整列している請求項１０２に記載の蓋。
【請求項１０５】
前期開口が先細りである請求項１０４に記載の蓋。
【請求項１０６】
前記開口配列の各部材が、１つの異なる反応ウエルと軸方向に整列している請求項１０４に記載の蓋。
【請求項１０７】
前記突起が、開口の周りに配列された環状の突出隆起を有する請求項１０４に記載の蓋。
【請求項１０８】
前記蓋を反応ブロックに取付けるための少なくとも１つの取付部品を更に有する請求項１０２に記載の蓋。
【請求項１０９】
前記取付部品が、少なくとも１つのヒンジ及び少なくとも１つのラッチを有する請求項１０８に記載の蓋。
【請求項１１０】
少なくとも１つのラッチ部品及び少なくとも１つのヒンジ部品を有する蓋であって、該ヒンジ部品は、他の少なくとも１つのヒンジ部品と噛み合うことができ、該ラッチ部品は他の少なくとも１つのラッチ部品と取外し可能に噛み合うことができ、かつ該他のヒンジ部品及び他のラッチ部品は、反応ブロックに取付けられている該蓋。
【請求項１１１】
前記蓋の表面に配置された少なくとも１つの突起を更に有し、該突起は、ガスケットを押圧し反応ブロックの少なくとも１つの反応ウエルの少なくとも一部と接触している請求項１１０に記載の蓋。
【請求項１１２】
前記蓋が、反応ブロックに配置された反応ウエルの配列に対応する突起の配列を有する請求項１１１に記載の蓋。
【請求項１１３】
前記蓋を貫通して配置された開口の配列を更に有し、少なくとも１つの開口は、反応ウエルと軸方向に整列している請求項１１０に記載の蓋。
【請求項１１４】
前記開口が、先細りである請求項１１３に記載の蓋。
【請求項１１５】
前記開口配列の各部材が、１つの異なる反応ウエルと軸方向に整列している請求項１１３に記載の蓋。
【請求項１１６】
少なくとも１つのヒンジ部品及び少なくとも１つのラッチ部品を取り付けたバンドを有する蓋取付部品であって、該バンドは、反応ブロックの複数の対向面上に配置された複数の対向する凹み領域に載荷可能である該蓋取付部品。
【請求項１１７】
前記ヒンジ部品が、雄型又は雌型の離昇式ヒンジ部品を有する請求項１１６に記載の蓋取付部品。
【請求項１１８】
前記ラッチ部品が、ラッチ本体又は保持板を有する請求項１１６に記載の蓋取付部品。
【請求項１１９】
前記ラッチ本体が、回転可能な引抜き式ラッチ本体を有する請求項１１８に記載の蓋取付部品。
【発明の詳細な説明】
【技術分野】
【０００１】
著作権通知
３７Ｃ．Ｆ．Ｒ．  １．７１（ｅ）に従って、出願人は、この開示の一部は著作権の保護を受ける資料（ｍａｔｅｒｉａｌ）を含むことを通知する。著作権所有者は、特許庁の特許ファイル又は記録にあるような該特許文書又は特許開示のファクシミリ複写する誰にも反対しないが、さもなければ、全ての著作権の権利を保有する。
関連出願への相互参照
本出願は、２００１年９月５日出願の“Ｐａｒａｌｌｅｌ  Ｒｅａｃｔｉｏｎ  Ｄｅｖｉｃｅｓ”と題する米国特許出願Ｎｏ．０９／９４７，２３６の継続出願であって、該出願の開示は、あらゆる目的のためその全体をここに援用する。本出願は、この元出願による利益及び優先権を主張する。
連邦政府主催研究開発の下でなされた本発明に対する権利の声明
（適用なし）
【背景技術】
【０００２】
発明の背景
所望の化学的又は物理的特性を有する化合物についての最新の同定技術は、通常、これら所望の特性を有するメンバーを単離するため、組織的に選別される化合物の複合ライブラリを集める工程を含む。一般的なライブラリ建設法の一つは、コンビナトリアル、平行、又は例えば多数工程溶液−又は固体−相合成により、ビルディングブロックの複数のセットから化合物の複数セットを調製する他の合成法を用いて化合物を作る工程を含む。例えば、１セットのビルディングブロックの中の全ての可能な組合せを製造するために、スプリット／プールコンビナトリアル技術が使用できる。特に、これらの方法は通常、固体支持体の初期のプールを、結合した（ａｔｔａｃｈｅｄ）化学部分で選択数の個別のプールに分割する（ｓｐｌｉｔ）工程を含む。各プールに第一ランダム化反応を行なって、各々別々のプール中で固体支持体に異なるランダム化を発生させる。この最初のセットの反応に引き続き、固体支持体の個々のプールは、通常、組合せ、混合し、次いで再びいったん別々のプールに分割する。次いで各分割プールに、再び各プールに対し異なる第二のランダム化を行なう。この方法を、目標化合物の所望ライブラリーが製造されるまで繰り返す。コンビナトリアル及び平行法を用いたライブラリ合成の更なる詳細は、例えばＨｏｕｇｈｔｅｎ（２０００）“Ｐａｒａｌｌｅｌ  ａｒｒａｙ  ａｎｄ  ｍｉｘｔｕｒｅ−ｂａｓｅｄ  ｓｙｎｔｈｅｔｉｃ  ｃｏｍｂｉｎａｔｏｒｉａｌ  ｃｈｅｍｉｓｔｒｙ：Ｔｏｏｌｓ  ｆｏｒ  ｔｈｅ  ｎｅｘｔ  ｍｉｌｌｅｎｎｉｕｍ”，Ａｎｎｕ．Ｒｅｖ．Ｐｈａｒｍａｃｏｌ．Ｔｏｘｉｃｏｌ．４０：２７３−２８２、Ｔｈｏｍｐｓｏｎ（２０００）“Ｒｅｃｅｎｔ  ａｐｐｌｉｃａｔｉｏｎｓ  ｏｆ  ｐｏｌｙｍｅｒ−ｓｕｐｐｏｒｔｅｄ  ｒｅａｇｅｎｔｓ  ａｎｄ  ｓｃａｖｅｎｇｅｒｓ  ｉｎ  ｃｏｍｂｉｎａｔｏｒｉａｌ，ｐａｒａｌｌｅｌ，ｏｒ  ｍｕｌｔｉｓｔｅｐ  ｓｙｎｔｈｅｓｉｓ”，Ｃｕｒｒ．Ｏｐｉｎ．Ｃｈｅｍ．Ｂｉｏｌ．４：３２４−３３７、Ｂｕｎｉｎ等（１９９９）“Ａｐｐｌｉｃａｔｉｏｎ  ｏｆ  ｃｏｍｂｉｎａｔｏｒｉａｌ  ａｎｄ  ｐａｒａｌｌｅｌ  ｓｙｎｔｈｅｓｉｓ  ｔｏ  ｍｅｄｉｃａｌ  ｃｈｅｍｉｓｔｒｙ”，Ａｎｎｕ．Ｒｅｐ．Ｍｅｄ．Ｃｈｅｍ．３４：２６７−２８６、及びＢｒｏｏｋｉｎｇ等（１９００）“Ｓｐｌｉｔ−ｓｐｌｉｔ．Ａ  ｍｕｌｔｉｐｌｅ  Ｓｎｔｈｅｓｉｓｅｒ  ａｐｐｒｏａｃｈ  ｔｏ  ｅｆｆｉｃｉｅｎｔ  ａｕｔｏｍａｔｅｄ  ｐａｒａｌｌｅｌ  ｓｙｎｔｈｅｓｉｓ”，Ｔｅｔｒａｈｅｄｒｏｎ  Ｌｅｔｔ．４０（７）：１４０５−１４０８に記載されている。
【０００３】
スプリット／プール合成のようなコンビナトリアル実施計画でのランダム化工程を含む平行化学用の標準的な器具としては、通常、管の集合体又は指定数の反応ウエル又は孔を穿った反応ブロックがある。この反応ウエルの一端には、一般に各ウエルを固−液分離又は他の精製プロセスに使用するためのフィルターを備えている。このような反応ブロックの足型は、通常、標準ミクロウエルアッセイプレートのウエル配列に対応している。一連の各々アドレス可能な解放反応器は、一般にガスケットを反応ウエルの底部又は出口に接触させることにより、反応ブロック内に形成される。また、一連の密閉反応器は、通常、頂部又は入口を他のガスケットで反応ウエルに密封することにより作製される。密封反応ウエルは、ウエル内容物の活動的な撹拌及び極端な反応条件の使用を可能にする。
【０００４】
部分最適密封兼締付け機構は、従来の多数ウエル反応容器でのスループットを禁止する。詳しくは、先行技術は、通常、一連のラッチ、ねじ、及び／又はその他の締め具を操作するため、ユーザーを必要とする。これらの締め具は、反応室への安全で効率的な接近を妨げる。更に、これら装置の締付け機構は、一般に確実に反応ウエルを密封できないので、普通、反応ウエルから材料の漏れが生じる。サンプルの漏れは、通常、漏れが生じた特定のウエル内での反応及び／又は多数反応ウエル間の相互汚染のため、反応不良（ｆａｉｌｕｒｅ）の原因となる。先行装置の１つの漏れ源は、反応ウエルに対する不均等な締付け負荷である。更に、従来技術を特徴付ける設計のまずさも、経時により全体的な締付け負荷損失を招く上、前述の漏れ関連問題に寄与する。
【非特許文献１】
Ｈｏｕｇｈｔｅｎ（２０００）“Ｐａｒａｌｌｅｌ  ａｒｒａｙ  ａｎｄ  ｍｉｘｔｕｒｅ−ｂａｓｅｄ  ｓｙｎｔｈｅｔｉｃ  ｃｏｍｂｉｎａｔｏｒｉａｌ  ｃｈｅｍｉｓｔｒｙ：Ｔｏｏｌｓ  ｆｏｒ  ｔｈｅ  ｎｅｘｔ  ｍｉｌｌｅｎｎｉｕｍ”，Ａｎｎｕ．Ｒｅｖ．Ｐｈａｒｍａｃｏｌ．Ｔｏｘｉｃｏｌ．４０：２７３−２８２
【非特許文献２】
Ｔｈｏｍｐｓｏｎ（２０００）“Ｒｅｃｅｎｔ  ａｐｐｌｉｃａｔｉｏｎｓ  ｏｆ  ｐｏｌｙｍｅｒ−ｓｕｐｐｏｒｔｅｄ  ｒｅａｇｅｎｔｓ  ａｎｄ  ｓｃａｖｅｎｇｅｒｓ  ｉｎ  ｃｏｍｂｉｎａｔｏｒｉａｌ，ｐａｒａｌｌｅｌ，ｏｒ  ｍｕｌｔｉｓｔｅｐ  ｓｙｎｔｈｅｓｉｓ”，Ｃｕｒｒ．Ｏｐｉｎ．Ｃｈｅｍ．Ｂｉｏｌ．４：３２４−３３７
【非特許文献３】
Ｂｕｎｉｎ等（１９９９）“Ａｐｐｌｉｃａｔｉｏｎ  ｏｆ  ｃｏｍｂｉｎａｔｏｒｉａｌ  ａｎｄ  ｐａｒａｌｌｅｌ  ｓｙｎｔｈｅｓｉｓ  ｔｏ  ｍｅｄｉｃａｌ  ｃｈｅｍｉｓｔｒｙ”，Ａｎｎｕ．Ｒｅｐ．Ｍｅｄ．Ｃｈｅｍ．３４：２６７−２８６
【非特許文献４】
Ｂｒｏｏｋｉｎｇ等（１９００）“Ｓｐｌｉｔ−ｓｐｌｉｔ．Ａ  ｍｕｌｔｉｐｌｅ  Ｓｎｔｈｅｓｉｓｅｒ  ａｐｐｒｏａｃｈ  ｔｏ  ｅｆｆｉｃｉｅｎｔ  ａｕｔｏｍａｔｅｄ  ｐａｒａｌｌｅｌ  ｓｙｎｔｈｅｓｉｓ”，Ｔｅｔｒａｈｅｄｒｏｎ  Ｌｅｔｔ．４０（７）：１４０５−１４０８
【非特許文献５】
Ｈｏ及びＳｉｒｋａｒ（編），Ｍｅｍｂｒａｎｅ  Ｈａｎｄｂｏｏｋ，ｖａｎ  Ｎｏｓｔｒａｎｄ  Ｒｅｉｎｈｏｌｄ（１９９２）
【非特許文献６】
Ｃｈｅｒｙａｎ，Ｕｌｔｒａｆｉｌｔｒａｔｉｏｎ  ａｎｄ  Ｍｉｃｒｏｆｉｌｔｒａｔｉｏｎ  Ｈａｎｄｂｏｏｋ，第２編，Ｔｅｃｈｎｏｍｉｃ  Ｐｕｂｌｉｓｈｉｎｇ  Ｃｏｍｐａｎｙ（１９９８）
【非特許文献６】
Ｍｕｌｄｅｒ，Ｂａｓｉｃ  Ｐｒｉｎｃｉｐｌｅｓ  ｏｆ  Ｍｅｍｂｒａｎｅ  Ｔｅｃｈｎｏｌｏｇｙ，第２編，Ｄｏｒｄｒｅｃｈｔ：Ｋｌｕｗｅｒ（１９９６）
【非特許文献７】
Ｒｏｓａｔｏ，Ｉｎｊｅｃｔｉｏｎ  Ｍｏｌｄｉｎｇ  Ｈａｎｄｂｏｏｋ，第３編，Ｋｌｕｗｅｒ  Ａｃａｄｅｍｉｃ  Ｐｕｂｌｉｓｈｅｒｓ（２０００）
【非特許文献８】
Ｆｕｎｄａｍｅｎｔａｌｓ  ｏｆ  Ｉｎｊｅｃｔｉｏｎ  Ｍｏｌｄｉｎｇ，Ｗ．Ｉ．Ｔ．Ａｓｓｏｃｉａｔｅｓ（２０００）
【非特許文献９】
Ｗｈｅｌａｎ，Ｉｎｊｅｃｔｉｏｎ  Ｍｏｌｄｉｎｇ  ｏｆ  Ｔｈｅｒｍｏｐｌａｓｔｉｃ  Ｍａｔｅｒｉａｌｓ，Ｖｏｌ．２，Ｃｈａｐｍａｎ  ＆  Ｈａｌｌ（１９９１）
【非特許文献１０】
Ｆｉｓｈｅｒ，Ｅｘｔｒｕｓｉｏｎ  ｏｆ  Ｐｌａｓｔｉｃｓ，Ｈａｌｓｔｅｄ  Ｐｒｅｓｓ（１９７６）
【非特許文献１１】
Ｃｈｕｎｇ，Ｅｘｔｒｕｓｉｏｎ  ｏｆ  Ｐｏｌｙｍｅｒｓ：Ｔｈｅｏｒｙ  ａｎｄ  Ｐｒａｃｔｉｃｅ，Ｈａｎｓｅｒ−Ｇａｒｄｎｅｒ  Ｐｕｂｌｉｃａｔｉｏｎｓ（２０００）
【非特許文献１２】
Ｃａｒｇｉｌｌ及びＭａｉｅｆｓｋｉ（１９９６）“Ａｕｔｏｍａｔｅｄ  ｃｏｍｂｉｎａｔｏｒｉａｌ  ｃｈｅｍｉｓｔｒｙ  ｏｎ  ｓｏｌｉｄ  ｐｈａｓｅ”，Ｌａｂ．Ｒｏｂｏｔｉｃｓ．Ａｕｔｏｍａｔｉｏｎ  ８：１３９−１４８
【非特許文献１３】
Ｚｕｃｋｅｒｍａｎｎ等（１９９２），“Ｄｅｓｉｇｎ，ｃｏｎｓｔｒｕｃｔｉｏｎ  ａｎｄ  ａｐｐｌｉｃａｔｉｏｎ  ｏｆ  ａ  ｆｕｌｌｙ  ａｕｔｏｍａｔｅｄ  ｅｑｕｉｍｏｌａｒ  ｐｅｐｔｉｄｅ  ｍｉｘｔｕｒｅ  ｓｙｎｔｈｅｓｉｚｅｒ”，Ｉｎｔ．Ｊ．Ｐｅｐｔｉｄｅ  Ｐｒｏｔ．Ｒｅｓ．４０：４９７−５０６
【非特許文献１４】
Ｃａｓｔｅｌｉｎｏ等（２０００）“Ａｕｔｏｍａｔｅｄ  ｓｏｌｉｄ−ｐｈａｓｅ  ｓｙｎｔｈｅｓｉｓ  ｏｆ  ｌｉｎｅａｒ  ｎｉｔｒｏｇｅｎ−ｌｉｎｋｅｄ  ｃｏｍｐｏｕｎｄｓ”，Ｂｉｏｔｅｃｈｎｏｌ．Ｂｉｏｅｎｇ．７１：１９−２７
【非特許文献１５】
Ｇｒｏｇｅｒ等（２０００）“１，３，５−Ｔｒｉａｚｉｎｅｓ，ｖｅｒｓａｔｉｌｅ  ｉｎｄｕｓｔｒｉａｌ  ｂｕｉｌｄｉｎｇ  ｂｌｏｃｋｓ：Ｓｙｎｔｈｅｔｉｃ  ａｐｐｒｏａｃｈｅｓ  ａｎｄ  ａｐｐｌｉｃａｔｉｏｎｓ”，Ｃｈｉｍ．Ｏｇｇｉ．１８：１２−１６
【非特許文献１６】
Ｈａａｇ（２０００）“Ｃｈｅｍｓｐｅｅｄ  Ｌｔｄ．：Ａｕｔｏｍａｔｅｄ  ａｎｄ  ｕｎａｔｔｅｎｄｅｄ  ｐａｒａｌｌｅｌ  ｓｙｎｔｈｅｓｉｓ  ｉｎｔｅｇｒａｔｉｎｇ  ｗｏｒｋ−ｕｐ  ａｎｄ  ａｎａｌｙｓｉｓ”，Ｃｈｉｍｉａ  ５４：１６３−１６４
【非特許文献１７】
Ｈｕ等（２０００）“Ａｕｔｏｍａｔｅｄ  ｓｏｌｉｄ−ｐｈａｓｅ  ｓｙｎｔｈｅｓｉｓ  ａｎｄ  ｐｈｏｔｏｐｈｙｓｉｃａｌ  ｐｒｏｐｅｒｔｉｅｓ  ｏｆ  ｏｌｉｇｏｄｅｏｘｙｎｕｃｌｅｏｔｉｄｅｓ  ｌａｂｅｌｅｄ  ａｔ  ５’−ａｍｉｎｏｔｈｙｍｉｄｉｎｅ  ｗｉｔｈ  Ｒｕ（ｂｐｙ）（２）（４−ｍ−４’−ｃａｍ−ｂｐｙ）（２＋）”，Ｉｎｏｒｇ．Ｃｈｅｍ．３９：２５００−２５０
【非特許文献１８】
Ｌｅｗｉｓ等（２０００）“Ａｕｔｏｍａｔｅｄ  ｈｉｇｈ−ｔｈｒｏｕｇｈｐｕｔ  ｑｕａｎｔｉｆｉｃａｔｉｏｎ  ｏｆ  ｃｏｍｂｉｎａｔｏｒｉａｌ  ａｒｒａｙｓ”，Ａｍｅｒｉｃａｎ  Ｐｈａｒｍａｃｅｕｔｉｃａｌ  Ｒｅｖｉｅｗ  ３：６３−６８
【非特許文献１９】
Ｎｏｒｔｈ（２０００）“Ｉｍｐｌｅｍｅｎｔａｔｉｏｎ  ｏｆ  ａｎａｌｙｔｉｃａｌ  ｔｅｃｈｎｏｌｏｇｉｅｓ  ｉｎ  ａ  ｐｈａｒｍａｃｅｕｔｉｃａｌ  ｄｅｖｅｌｏｐｍｅｎｔ  ｏｒｇａｎｉｚａｔｉｏｎ−ｌｏｏｋｉｎｇ  ｉｎｔｏ  ｔｈｅ  ｎｅｘｔ  ｍｉｌｌｅｎｎｉｕｍ”，Ｊｏｕｒｎａｌ  ｏｆ  Ａｕｔｏｍａｔｅｄ  Ｍｅｔｈｏｄｓ  ａｎｄ  Ｍａｎａｇｅｍｅｎｔ  ｉｎ  Ｃｈｅｍｉｓｔｒｙ  ２２：４１−４５
【非特許文献２０】
Ｋｅｉｆｅｒ等（２０００）“Ｄｉｒｅｃｔ−ｉｎｊｅｃｔｉｏｎ  ＮＭＲ（ＤＩ−ＮＭＲ）：Ａ  ｆｌｏｗ  ＮＭＲ  ｔｅｃｈｎｉｑｕｅ  ｆｏｒ  ｔｈｅ  ａｎａｌｙｓｉｓ  ｏｆ  ｃｏｍｂｉｎａｔｏｒｉａｌ  ｃｈｅｍｉｓｔｒｙ  ｌｉｂｒａｌｉｅｓ”，Ｊｏｕｒｎａｌ  ｏｆ  Ｃｏｍｂｉｎａｔｏｒｉａｌ  Ｃｈｅｍｉｓｔｒｙ  ２：１５１−１７１
【非特許文献２１】
Ｓｅｎｅｃｉ，Ｓｏｌｉｄ−Ｐｈａｓｅ  Ｓｙｎｔｈｓｉｓ  ａｎｄ  Ｃｏｍｂｉｎａｔｏｒｉａｌ  Ｔｅｃｈｎｏｌｏｇｉｅｓ，Ｊｏｈｎ  Ｗｉｌｅｙ  ＆  Ｓｏｎｓ，Ｉｎｃ．（２０００）
【非特許文献２２】
Ａｌｂｅｒｉｃｉｏ及びＫａｔｅｓ，Ｓｏｌｉｄ−Ｐｈａｓｅ  Ｓｙｎｔｈｓｉｓ：Ａ  Ｐｒａｃｔｉｃａｌ  Ｇｕｉｄｅ，Ｍａｒｃｅｌ  Ｄｅｋｋｅｒ（２０００）
【非特許文献２３】
Ａｎ及びＣｏｏｋ（２０００）“Ｍｅｔｈｏｄｏｌｏｇｉｅｓ  ｆｏｒ  ｇｅｎｅｒａｔｉｎｇ  ｓｏｌｕｔｉｏｎ−ｐｈａｓｅ  ｃｏｍｂｉｎａｔｏｒｉａｌ  ｌｉｂｒａｒｉｅｓ”，Ｃｈｅｍ．Ｒｅｖ．１００：３３１１−３３４０
【非特許文献２４】
Ｗｕ（編），Ｃｏｌｕｍｎ  Ｈａｎｄｂｏｏｋ  ｆｏｒ  Ｓｉｚｅ  Ｅｘｃｌｕｓｉｏｎ  Ｃｈｒｏｍａｔｏｇｒａｐｈｙ，Ｈａｒｃｏｕｔ  Ｂｒａｃｅ  ＆  Ｃｏｍｐａｎｙ（１９９８）
【非特許文献２５】
Ｍａｒｃｈ，Ａｄｖａｎｃｅｄ  Ｏｒｇａｎｉｃ  Ｃｈｅｍｉｓｔｒｙ：Ｒｅａｃｔｉｏｎｓ，Ｍｅｃｈａｎｉｓｍｓ，ａｎｄ  Ｓｔｒｕｃｔｕｒｅ，第４編，Ｊｏｈｎ  Ｗｉｌｅｙ  ＆  Ｓｏｎｓ，Ｉｎｃ．（１９９２）
【非特許文献２６】
Ｓｍｉｔｈ及びＭａｒｃｈ，Ｍａｒｃｈ’ｓ  Ａｄｖａｎｃｅｄ  Ｏｒｇａｎｉｃ  Ｃｈｅｍｉｓｔｒｙ：Ｒｅａｃｔｉｏｎｓ，Ｍｅｃｈａｎｉｓｍｓ，ａｎｄ  Ｓｔｒｕｃｔｕｒｅ，第５編，Ｊｏｈｎ  Ｗｉｌｅｙ  ＆  Ｓｏｎｓ，Ｉｎｃ．（２００１）
【非特許文献２７】
Ｃａｒｅｙ及びＳｕｎｄｂｅｒｇ，Ａｄｖａｎｃｅｄ  Ｏｒｇａｎｉｃ  Ｃｈｅｍｉｓｔｒｙ  Ｐａｒｔ  Ａ：Ｓｔｒｕｃｔｕｒｅ  ａｎｄ  Ｍｅｃｈａｎｉｓｍ，第４編，Ｐｌｅｎｕｍ  Ｐｒｅｓｓ（２０００）
【非特許文献２８】
Ａｕｓｕｂｅｌ等編，Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂｌｉｓｈｉｎｇ  Ａｓｓｏｃｉａｔｅｓ，Ｉｎｃ．とＪｏｈｎ  Ｗｉｌｅｙ  ＆  Ｓｏｎｓ，Ｉｎｃ．との共同企業体（２０００年に補遣）
【非特許文献２９】
Ｆｒｅｓｈｎｅｙ，Ｃｕｌｔｕｒｅ  ｏｆ  Ａｎｉｍａｌ  Ｃｅｌｌｓ，ａ  Ｍａｎｕａｌ  ｏｆ  Ｂａｓｉｃ  Ｔｅｃｈｎｉｑｕｅ，第３編，Ｗｉｌｅｙ−Ｌｉｓｓ（１９９４）
【非特許文献３０】
Ｈｕｍａｓｏｎ，Ａｎｉｍａｌ  Ｔｓｓｕｅ  Ｔｅｃｈｎｉｑｕｅｓ，第４編，Ｗ．Ｈ．Ｆｒｅｅｍａｎ  ａｎｄ  Ｃｏｍｐａｎｙ（１９７９）
【特許文献１】
ＵＳＰ  ６，０５４，１００
【特許文献２】
ＵＳＰ  ６，１３６，２７４
【発明の開示】
【発明が解決しようとする課題】
【０００５】
以上のことから、新規な平行反応装置には、反応ウエルに効率的かつ迅速に接近できることが実質的に必要であることは明らかである。温度及び撹拌の極端な変化を含む多様な反応条件下でも確実に密封したままの反応ブロックを備えることが望ましい。本発明のこれら及び各種の他の特徴は、以下の充分な検討から明らかとなろう。
【課題を解決するための手段】
【０００６】
発明の概要
本発明は、コンビナトリアル合成反応又はその他の平行反応のような多重反応を行なう装置に関する。更に詳しくは、本発明は、現存装置に比べてスループットを大きく改善する確実かつ効率的な密封又は締付け機構を備えた平行反応装置を提供する。本発明の装置は、反応ウエルの配列を有する反応ブロックを組み入れた。反応ブロックは、時には使い捨て可能であり、或いは少なくとも不明確な用途を意図したものではない。本発明の装置は、反応ブロックの他、反応ブロック内の反応ウエルを密封するための蓋及びガスケット、並びにこの蓋を反応ブロックに取付けるための取付部品を有する。好ましい実施態様では、蓋は、更に反応ウエルの密封を強化するため、組立てた装置中で反応ウエルと軸方向に整列する突起の配列を有する。本発明装置の蓋は、通常、反応ブロックに取外し可能に取付けられ、反応ブロックの入口部又は出口部に亘って実質的に均等な締付け負荷を生じる。更に、これらの装置又は装置部品を有する反応ブロック容器、システム及びキットも提供する。
【０００７】
一局面では、本発明は、（ａ）各々入口部及び出口部を有する複数の反応ウエルの配列を含む反応ブロックであって、該配列中の少なくとも１つの反応ウエルは反応ブロックを貫通して配置された該反応ブロック、（ｂ）前記反応ブロックに少なくとも１つの頂部取付部品により取付けられ、前記反応ブロックと噛み合う表面上に配置された少なくとも１つの突起を有する頂部蓋であって、該突起は、頂部ガスケットを押圧し反応ウエルの入口部と接触して入口部を密封する該頂部蓋、及び（ｃ）前記反応ブロックに少なくとも１つの底部取付部品により取付けられ、底部ガスケットを押圧し反応ウエルの出口部と接触して出口部を密封する底部蓋を備えた平行反応装置を提供する。
【０００８】
他の一局面では、本発明は、（ａ）各々入口部及び出口部を有する複数の反応ウエルの配列を含む反応ブロックであって、該配列中の少なくとも１つの反応ウエルは反応ブロックを貫通して配置された該反応ブロック、（ｂ）前記反応ブロックに少なくとも１つの頂部ヒンジ部品及び少なくとも１つの頂部ラッチ部品により取付けられ、頂部ガスケットを押圧し反応ウエルの入口部と接触して入口部を密封する頂部蓋、及び（ｃ）前記反応ブロックに少なくとも１つの底部ヒンジ部品及び少なくとも１つの底部ラッチ部品により取付けられ、底部ガスケットを押圧し反応ウエルの出口部と接触して出口部を密封する底部蓋を備えた平行反応装置を提供する。
【０００９】
更に他の一局面では、本発明は、（ａ）各々入口部及び出口部を有する複数の反応ウエルの配列を含む反応ブロックであって、該配列中の少なくとも１つの反応ウエルは反応ブロックを貫通して配置された該反応ブロック、
（ｂ）前記反応ブロックに少なくとも１つの頂部ヒンジ部品及び少なくとも１つの頂部ラッチ部品により取付けられ、該反応ブロックと噛み合う表面上に配置された少なくとも１つの突起を有する頂部蓋であって、該突起は、頂部ガスケットを押圧し反応ウエルの入口部と接触して入口部を密封する該頂部蓋、及び（ｃ）前記反応ブロックに少なくとも１つの底部ヒンジ部品及び少なくとも１つの底部ラッチ部品により取付けられ、底部ガスケットを押圧し反応ウエルの出口部と接触して出口部を密封する底部蓋を備えた平行反応装置を提供する。
【００１０】
本発明の反応ブロックは、種々の実施態様を含む。例えば反応ブロックは、他の入口部から去った流動性材料を導く（ｄｉｒｅｃｔ）ため、隣接する反応ウエルの入口部間に入口部に隣接して配置された凹部を任意に有する。特定の好ましい実施態様では、各反応ウエルは、反応ブロックを貫通して配置される。他の好ましい実施態様では、１つ以上の反応ウエルは、更に該ウエル内に配置されたフィルターを有する。反応ウエルの少なくとも２つの領域は、内側又は外側断面寸法を任意に有する。更に、反応ウエル配列の出口部は、通常、ミクロウエルプレートのウエルに対応する足型を有する。また一般に出口部は、反応ウエルの他の領域よりも小さい内側断面寸法の出口噴出口を有し、該出口噴出口と反応ウエルの他の領域との間の遷移領域は、例えば険しいか、先細りか、或いは階段状等である。
【００１１】
好ましい実施態様では、反応ブロックは、各表面の中央点に隣接する反応ブロックの対向する表面に配置された少なくとも１対の実質的に対向する凹み領域を有し、該対向凹み領域に頂部及び底部の取付部品を載せている。これらの実施態様では、頂部及び底部の取付部品は、通常、（ｉ）前記対向凹み領域内の反応ブロックの周りに配置され、かつ少なくとも１つの第一頂部ヒンジ部品、少なくとも１つの第一頂部ラッチ部品、少なくとも１つの第一底部ヒンジ部品、及び少なくとも１つの第一底部ラッチ部品を備えたバンド、（ｉｉ）各々前記頂部蓋に取付けた、前記第一頂部ヒンジ部品（１つ以上）と取外し可能に噛み合う少なくとも１つの第二頂部ヒンジ部品及び前記第一頂部ラッチ部品（１つ以上）と取外し可能に噛み合う少なくとも１つの第二頂部ラッチ部品、並びに（ｉｉｉ）各々前記底部蓋に取付けた、前記第一底部ヒンジ部品（１つ以上）と取外し可能に噛み合う少なくとも１つの第二底部ヒンジ部品及び前記第一底部ラッチ部品（１つ以上）と取外し可能に噛み合う少なくとも１つの第二底部ラッチ部品を有する。各ヒンジ部品は、独立に例えば雄型又は雌型の離昇式ヒンジ部品を任意に有し、一方、各ラッチ部品は、独立に例えばラッチ本体（例えば回転可能な引抜き式（ｄｒａｗ）ラッチ本体等）又は保持板を任意に有する。
【００１２】
また本発明は、蓋を反応ブロックに取付けた時、ガスケットを押圧し反応ウエルの配列を備えた反応ブロックの少なくとも１つの反応ウエルの少なくとも一部と接触して該反応ウエルを密封（例えば放射状に密封等）できる少なくとも１つの突起を有する該蓋に関する。特に、この突起は、入口部からの流動性材料の漏れを防止して、反応ウエル間の相互汚染を減少させる。この蓋は、通常、反応ウエルの配列に対応する突起の配列を有する。蓋は任意に、該蓋を貫通して配置された開口の配列を更に有し、少なくとも１つの開口（例えば先細りの開口等）は、反応ウエルと軸方向に整列している。開口配列の各部材は、例えば異なる反応ウエルと軸方向に整列している。流動性材料は、開口及びガスケットを通って、針（例えば注射針等）から反応ウエル中に導入される。更に突起は、開口の周りに配置された環状の突出隆起を任意に有する。また蓋は、通常、反応ブロックに該蓋を取付けるため少なくとも１つの取付部品（例えば少なくとも１つのラッチ及び少なくとも１つのヒンジ等）を更に有する。
【００１３】
更に本発明は、少なくとも１つのラッチ部品及び少なくとも１つのヒンジ部品を有する蓋であって、該ヒンジ部品は、他の少なくとも１つのヒンジ部品と噛み合うことができ、該ラッチ部品は他の少なくとも１つのラッチ部品と取外し可能に噛み合うことができ、かつ該他のヒンジ部品及び他のラッチ部品は、反応ブロックに取付けられている該蓋に関する。この蓋は、該蓋の表面に配置された少なくとも１つの突起を任意に更に有し、該突起は、ガスケットを押圧し反応ブロックの少なくとも１つの反応ウエルの少なくとも一部と接触している。蓋は、例えば反応ブロックに配置された反応ウエルの配列に対応する突起の配列を任意に有する。他の一実施態様では、蓋は、該蓋を貫通して配置された開口の配列を更に有し、少なくとも１つの開口（例えば先細りの開口等）は、反応ウエルと軸方向に整列している。通常、開口配列の各部材は、１つの異なる反応ウエルと軸方向に整列している。
【００１４】
頂部及び底部のガスケットは、通常、ガスケット材料のシートを含む。頂部ガスケットは、入口部と軸方向に整列する少なくとも１つの突起を任意に有する。更なる選択肢として、底部ガスケットは、出口部と軸方向に整列する少なくとも１つの突起を有する。頂部及び底部ガスケットの少なくとも１つは、突起の配列を任意に有し、少なくとも１つの突起は、反応ウエルと軸方向に整列している。
図面の簡単な説明
図１は、本発明平行反応装置の好ましい実施態様の概略正面斜視図である。
【００１５】
図２は、本発明平行反応装置の好ましい実施態様の概略拡大斜視図である。
【００１６】
図３Ａは、図２の組立反応装置の一部切欠け概略正面図である。
【００１７】
図３Ｂは、図２の組立反応装置の概略側面図である。
【００１８】
図３Ｃは、図２の組立反応装置の概略斜視図である。
【００１９】
図４Ａは、本発明の一実施態様による反応ブロックの一部切欠け概略正面図である。
【００２０】
図４Ｂは、図４Ａの反応ブロックの概略側面図である。
【００２１】
図４Ｃは、図４Ａの反応ブロックの概略上面図である。
【００２２】
図４Ｄは、図４Ａの反応ブロックの概略底面図である。
【００２３】
図４Ｅは、図４Ａの反応ブロックの概略斜視図である。
【００２４】
図５Ａは、本発明によるバンドの一実施態様の概略上面図である。
【００２５】
図５Ｂは、図５Ａのバンドの概略側面図である。
【００２６】
図５Ｃは、図５Ａのバンドの概略拡大上面図である。
【００２７】
図５Ｄは、本発明の好ましい実施態様による反応ブロックの対向面上に配置された対向凹み領域に載せたバンドの概略拡大斜視図である。
【００２８】
図６Ａは、本発明平行反応装置の頂部蓋の一実施態様の概略上面図である。
【００２９】
図６Ｂは、図６Ａの頂部蓋の概略上面斜視図である。
【００３０】
図６Ｃは、図６Ａの頂部蓋の概略底面図である。
【００３１】
図６Ｄは、図６Ａの頂部蓋の概略底面斜視図である。
【００３２】
図７Ａは、本発明による平行反応装置の底部蓋の一実施態様の概略上面図である。
【００３３】
図７Ｂは、図７Ａの底部蓋の概略上面斜視図である。
【００３４】
図７Ｃは、図７Ａの底部蓋の概略底面図である。
【００３５】
図７Ｄは、図７Ａの底部蓋の概略底面斜視図である。
【００３６】
図８は、本発明の一実施態様による蓋の上に配置された突起の配列を含むガスケットシートの概略斜視図である。
【００３７】
図９は、本発明の一実施態様による反応ブロック容器の概略拡大斜視図である。
【００３８】
図１０は、本発明の各種局面を実現できる論理装置を含む代表例の合成システムを示すブロックダイアグラムである。
発明の詳細な検討
Ｉ．定義
本発明を詳細に説明する前に、本発明は、特定の装置又はシステムに限定されず、勿論変化できると理解すべきである。また、ここで使用した用語は、特定の実施態様を説明する目的のためだけで、限定を意図するものではないことも理解すべきである。更に、特に定義しない限り、ここで使用した技術的及び科学的用語は全て、本発明が関与する当該技術分野に精通する者が普通に理解しているのと同じ意味を持つ。本発明を説明し、特許請求する際、以下の用語は、下記定義に従って使用される。
【００３９】
“配列”とは、整然としているか、規則的か、又は空間的に範囲が限定された、部品のパターン、集団、又は配置を云う。例えば反応ブロックでの反応ウエルの配列は、本質的にいずれかの数の反応ウエル（例えば２、４、６、１２、２４、４８、９６、３８４、１５３６、又はそれ以上の反応ウエル）の空間的に範囲が限定されたパターンを有する。所定数の反応ウエル又は他の装置部品（例えば開口又は突起等）について、代替の空間パターンが通常、可能である。例示すると、４８ウエル反応ブロックは、４列×１２段の配列（即ち４×１２配列）又は６×８配列等を有する。好ましい実施態様では、反応ウエル、開口又は突起等の配列は、市販のミクロウエルプレート又は他のサンプル容器中にウエルの配列に対応する足型を持っている（例えば３×２配列中の６ウエル、３×４配列中の１２ウエル、６×４配列中の２４ウエル、６×８配列中の４８ウエル、又は８×１２配列中の９６ウエル等）。
【００４０】
“足型”とは、装置部品又はその複数部分で覆われるか又は対応する表面上の領域を云う。例えば本発明反応ブロックの出口部又は噴出口は、通常、選択されたミクロウエルプレート又は他のサンプル容器中の複数のウエルに対応する（例えばウエル中にはまるか、ウエルと調和するか（ｍａｔｃｈ）、又はウエルと整列する等）。本発明の好ましい実施態様では、装置部品（例えば反応ウエル、開口、突起等）及びミクロウエルプレートのウエルは、実質的に同じ足型を有するので、これらは互いに軸方向に整列している（例えば反応ウエル及び開口、又はミクロウエルプレートのウエルについて流動可能に連通させるため）。
【００４１】
用語“頂部”とは、通常の実施計画又は意図した操作上の使用、例えば反応ウエルへの流動性材料の分配に向けた時の装置又は装置部品の最も高い点、水準、表面、又は部分を云う。例えば本発明の平行反応装置は、一般に頂部蓋又は頂部取付部品等（例えば頂部ヒンジ及び／又はラッチ部品等）を有する。これに対し、用語“底部”とは、通常の実施計画又は意図した操作上の使用、例えば反応ウエルへの流動性材料の分配に向けた時の装置又は装置部品の最も低い点、水準、表面、又は部分を云う。例示すると、本発明の装置は、通常、底部蓋又は底部取付部品等（例えば底部ヒンジ及び／又はラッチ部品等）を有する。
【００４２】
語句“実質的に均等な締付け負荷又は力”とは、接触面に亘って掛かった力の方向にほぼ均一に分配される該掛かった力を云う。例えば本発明の装置において反応ウエルを密封した時、反応ブロックと噛み合う蓋の表面により（例えばガスケット材料のシートを介して）掛かった力は、例えば反応ブロックと接触するいずれの２つの点（例えば、いずれの２つの入口部又はいずれの２つの出口部等）でも実質的に同じである。
【００４３】
用語“噛み合う（ｅｎｇａｇｅ）”とは、複数の装置部品の結合又は会合、連結、或いは噛み合わせる（ｍｅｓｈ）ことを云う。例示すると、反応ブロックに蓋を取付けて、例えば該反応ブロックの入口部又は出口部を密封した時、蓋（例えば蓋の一表面等）は、例えばその間に配置された１枚のガスケット材料シートにより反応ブロックと結合する。取付部品も、例えば雄型及び雌型ヒンジが操作可能な整列状態で互いに連結又は噛み合うか、或いはラッチ本体及び保持板が連結した時等に互いに噛み合う。
【００４４】
語句“放射状の密封”とは、反応ウエルを中心軸の周りが実質的に均一に閉鎖して、ウエルから漏れを防止することを云う。
ＩＩ．好ましい実施態様の概観
本発明は、多様な範囲の化学、生物学、ろ過／分離、及び／又はその他の方法を他の装置に比べて大きく改善したスループットで任意に同時に行なう装置に関する。特に本発明は、ユーザーが装置の多数反応ウエルを迅速かつ容易に密封又は開封することができる平行反応装置を提供する。これに対し、現存技術では、ユーザーは、反応ウエルへの安全かつ効率的な接近を妨げる一連のラッチ、ねじ、及び／又はその他の締め具と戦う必要がある。本発明装置の反応ウエルも、昇温、回転／遠心、又は撹拌等の各種操作条件下で確実な密封状態を維持する。多くの現存設計では、例えば反応ウエルに対する不均等な締付けにより、反応ウエル内容物の漏れに関連する問題を受けている。更に従来技術を特徴付ける設計のまずさは、経時により全体的な締付け負荷損失で損害を与えている。本発明の大幅に改善された平行反応装置の製造は、経済的である。本発明のこれら及び他の優れた特徴は、以下の詳細な説明の充分な検討により明らかとなろう。
【００４５】
図１は、本発明平行反応装置の好ましい実施態様の概略正面斜視図である。図示のように、装置１００は、多数反応ウエルを有する反応ブロック１０２を備える。反応ブロック１０２は、バンド１０４を反応ブロック１０２の周りに配置して、例えば締め具又はラッチ本体１０６の捕獲（ｃａｐｔｕｒｅｄ）により容易に適所に固定できるように設計されている。バンド１０４は、通常、頂部蓋１１０及び底部蓋１１２の両用に取付けた、２つのラッチ本体（一方は見えない）及び４つの離昇式ヒンジ１０８（２つは見えない）を備える。反応ブロック１０２を密封すると、頂部及び底部の蓋（１１０、１１２）に取付けた離昇式ヒンジ１０８のはめ合い部分は、バンド１０４に取付けた離昇式ヒンジ１０８の対応するはめ合い部分中に滑動する。次に頂部及び底部蓋（１１０、１１２）は閉じ、またラッチ本体１０６のフック部分は、頂部及び底部蓋（１１０、１１２）に取付けた対応する保持板又はクラスプ１１４上に配置される。ラッチ本体１０６は、回転して、ぴったり閉じた頂部及び底部蓋（１１０、１１２）を引っ張る。頂部及び底部蓋（１１０、１１２）は、それぞれ反応ブロック１０２と頂部及び底部蓋（１１０、１１２）との間のガスケット（図示せず）を圧縮する。圧縮されたガスケットは、反応ブロック１０２中の反応ウエルを確実に密封する。
【００４６】
頂部蓋１１０は、一般に各ウエルに対応する小高い特徴又は突起（環状突出物として示す）と一緒に作られる。特定の実施態様では、底部蓋１１２もこのような特徴を有する。突起１１６は、ガスケットを各ウエル中に部分的に押して、放射状密封を作製する。この種の密封は、一般に突起１１６なしで作製した単純面の密封よりも強健である。バンド１０４は、反応ブロック１０２により適所に保持されるので、頂部及び底部の蓋（１１０、１１２）は、独立に互いに開けることができる。ここで説明したように、平行反応装置１００の特徴又は部品は、一般的な有用性を与えるため、任意に注文に応じて作られる。例えば各種ミクロウエルプレート等の特殊化した器具用に反応ブロック１０２の種々の足型が任意に利用される。更に、例えば個々のウエルの容量及び数を増大させるため、各種のウエルフォーマットやウエル数が任意に用意される。また、例えばウエルの内容物や反応条件に応じて効率的にウエルを密封するため、各種多数のガスケット材料を任意に備える。
【００４７】
図２は、本発明平行反応装置の好ましい実施態様の概略拡大斜視図である。図示のように、平行反応装置２００は、反応ブロック２０２、バンド２０４、頂部蓋２０６、底部蓋２０８、頂部ガスケットシート２１０、及び底部ガスケットシート２１２を有する。反応ブロック２０２は、反応ウエルの配列２１４を備え、個々の反応ウエル２１６は、入口部２１８及び出口部２２０を有する。バンド２０４は、第一頂部ヒンジ部品（見えない）、第一頂部ラッチ部品２２２、第一底部ヒンジ部品２２４、及び第一底部ラッチ部品（見えない）を有する。図示のように、バンド２０４は、反応ブロック２０２の対向する凹み領域２２６に載せてある。頂部蓋２０６は、第二頂部ヒンジ部品２２８（１つは見えない）及び第二頂部ラッチ部品２３０（保持板として示す）を有する。また図示のように、頂部蓋２０６は、反応ブロック２０２中の反応ブロック配列２１４の部材と軸方向に整列する開口の配列２３２を備える。図２では見えないが、頂部蓋２０６は、通常、突起の配列（例えば開口配列２３２の部材の周りに配置された環状突出部の配列）を有する。この突起配列は、反応ブロック２０２と噛み合う頂部蓋２０６の一表面（例えば頂部ガスケットシート２１０を組立装置中の反応ブロック２０２と強制的に接触させる表面）上に配置されている。底部蓋２０８は、第二底部ヒンジ部品２３４及び第二底部ラッチ部品２３６を備える。頂部及び底部の蓋（それぞれ２０６、２０８）は、例えば平行反応装置２００を、Ｘ−Ｙ−Ｚ並進（ｔｒａｎｓｌａｔｉｏｎａｌ）装置のような制御装置上の対応する整合（ａｌｉｇｎｍｅｎｔ）構造に整合（ａｌｉｇｎ）させるための整合構造２３８も備えることができる。上記紹介した全装置部品について以下、更に詳細に説明する。
【００４８】
図３Ａ、３Ｂは、それぞれ図２の組立反応装置の一部切欠け概略正面図及び同じく組立反応装置の概略側面図である。図示のように、バンド２０４の第一頂部ラッチ部品２２２は、頂部蓋２０６の第二頂部ラッチ部品２３０と噛み合っている。バンド２０４は、反応ブロック２０２の凹み領域２２６に据え付け又は載せてある。頂部ガスケットシート２１０は、例えば平行反応装置２００中の反応ウエル２１６の入口部２１８を密封するため、頂部蓋２０６と反応ブロック２０２との間に配置されている。図示のように、バンド２０４の第一底部ヒンジ部品２２４は、底部蓋２０８の第二底部ヒンジ部品２３４と噛み合っている。底部蓋２０８と反応ブロック２０２との間には、例えば反応ウエル２１６の出口部２２０を密封するため底部ガスケットシート２１２が配置されている。図３Ｂに更に概略図示したように、頂部蓋２０６の第二頂部ヒンジ部品２２８（１つは見えない）は、バンド２０４の第一頂部ヒンジ部品２４０（１つは見えない）と噛み合っている。バンド２０４の第一底部ラッチ部品２４２は、底部蓋２０８の第二底部ラッチ部品２３６と噛み合っている。図３Ｃは、図２の組立反応装置の概略斜視図である。
ＩＩＩ．反応ブロック
本発明の反応ブロックは、一般に反応ウエルの複数の配列を有し、所定配列における少なくとも１つの反応ウエルは、特定の反応ブロックを貫通して配置される（例えば垂直に配置される）。好ましい実施態様では、反応ウエルは全て、反応ブロックを完全に貫通して配置されるが、他の実施態様では、一配列の中の全数未満のウエルが、反応ウエルを完全に貫通して配置される。更に、反応ブロックは、時には平行反応装置の使い捨て部品であるが、蓋、取付部品及びバンドは、通常、無期限の使用を意図している。本発明の反応ブロックは、反応ウエルの多数の代替配列も備え、各種取り揃えた材料、又は材料の組合せから作られる。
【００４９】
図４Ａは、本発明の一実施態様による反応ブロック４００の一部切欠け概略正面図である。図示のように、反応ブロック４００は、反応ウエルの配列４０２を備え、各反応ウエル４０４は、反応ブロック４００を貫通して配置される。反応ウエル４０４は、反応ブロック本体４１２の上表面４１０から上方に延びる入口部４０６、及び反応ブロック本体４１２の下表面４１４から下方に延びる出口部４０８（例えば出口噴出口等）を有する。また図示のように、反応ブロック４００は、例えば反応ブロック４００が密封されない間に液体がこぼれた場合、例えば他の入口部から去った流動性材料を導くため、隣接する反応ウエルの入口部間に入口部に隣接して配置された凹部４１６を有する。出口部４０８は、反応ウエル４０４の他の領域よりも小さい内側断面寸法を有する。反応ウエル４０４において、出口部４０８と他の領域との間の遷移領域４１８は、険しい。他の実施態様では、遷移領域４１８は、例えば先細りか、或いは階段状等である。図４Ａには示していないが、フィルター（例えば円盤状フィルター材料等）は、固体相合成中、樹脂又はその他の反応成分が出口部４０８に流れるのを防止するため、通常、遷移領域４１８に隣接して配置される。反応ブロック４００は、各表面の中央点に隣接する反応ブロック４００の対向する表面に配置された実質的に対向する凹み領域４２０も有する。この対向凹み領域４２０は、蓋取付部品、例えばラッチ本体、ラッチクラスプ、及び／又はヒンジ部品を取付けたバンド（図示せず）を載せるか、据え付けるために使用される。蓋取付部品について以下、更に検討する。
【００５０】
図４Ｂ〜４Ｅは、種々の面から見た反応ブロック４００の概略図である。特に、図４Ｂは、反応ブロック４００の概略側面図である。図４Ｃは、反応ブロック４００の概略上面図である。図４Ｄは、反応ブロック４００の概略底面図である。図４Ｅは、反応ブロック４００の概略斜視図である。
【００５１】
本発明の反応ブロックは、種々の数及び配列の反応ウエルを任意に備える。例えば特定の実施態様では、反応ブロックは、例えば６、１２、２４、４８、９６、３８４、１５３６、又はその他の数の反応ウエルを有する。図４Ｃに示すように、例えば反応ブロック４００は、８×１２の長方形フォーマットに配列した９６反応ウエルを有する。好ましい実施態様では、反応ウエルの出口部又は噴出口は、ミクロウエルプレート又は他のサンプル容器（例えば６、１２、２４、４８、９６、３８４、１５３６、又はその他の数のウエルを有するプレート）中のウエルに対応する足型を有する。例えば反応ブロックの出口部又は噴出口は、９６ウエルプレートでは中心が９ｍｍ、３８４ウエルプレートでは中心が４．５ｍｍ、１５３６ウエルプレートでは中心が２．２５ｍｍのように、規則的な間隔で任意に配置される。反応ブロックの全体の寸法面積は、一般にこの反応ブロックと、標準器具ホルダー、自動化ウエル洗浄機、又はＸ−Ｙ−Ｚ並進装置等との相互交換使用を可能にするため、選択された標準ミクロウエルプレートとほぼ同じ寸法の足型を与える。本発明が例えば非長方形の反応ウエルのように、図４Ｃに示したフォーマット以外の他の各種配列のいずれも使用できることは理解されよう。
【００５２】
前述のように、反応ブロックの個々の反応ウエルは、入口部（例えば図４Ａの入口部４０６参照）及び出口部（例えば図４Ａの出口部４０８参照）を有する。特定反応ウエルの入口部及び出口部は、通常、反応ブロック本体を貫通して配置された凹部を介して互いに流動可能に連通し、また例えば反応ブロック本体と一体的に作られる。反応ブロックの作製を以下、更に説明する。前述のように、好ましい実施態様では、入口部は一連の凹部により互いに分離されている（例えば直角に交差する凹部（例えば図４Ｃの凹部４１６参照）等）。これらの凹部は、通常、例えば反応ブロック本体の上表面から入口部の頂部まで垂直に延びる隣接入口部間の狭い空隙である。このような凹部は、一般に例えば頂部蓋とガスケットシートとが反応ウエルを密封するように位置していないで、流動性材料がこぼれた場合、反応ウエル間の相互汚染を減少させるために、作られる。特に凹部は、反応ウエルから去った液体を導く。出口部は、通常、例えば市販の注射針ハブを任意に取付けた、僅かに先細りした形状（例えばＬｕｅｒチップのような形状）の出口噴出口（例えば図４Ａ参照）として形成される。このような針は、例えば反応ウエルから極少量溶離させるため、小さい流出液開口が欲しい時とか、反応ウエルから不活性雰囲気下で敏感な流動性材料を移送する時等に、出口噴出口に任意に取付ける。先細りの出口噴出口は、液体流の管理や溶離した材料の相互汚染の減少を助ける。
【００５３】
反応ウエルの寸法（例えば内部の長さ又は高さ、或いは断面寸法／面積等）は、通常、特定ウエル内の制限に対する流動性材料の所望量に従って選択される。例えば本発明の反応ウエルは、一般に約０．１〜約１００ｍｌ、通常約１〜約５０ｍｌ、更に通常約１〜約２５ｍｌ、なお更に通常約１〜約２ｍｌの範囲の容積量を有する。反応ブロックは、約１００ｍｌを超える液体容量を収容するように、任意に設計される。特定の実施態様では、所定の反応ブロック中の各種反応ウエルは、種々の液体容積量を有する。好ましい実施態様では、反応ブロック中の各ウエルは、ほぼ同じ液体容積量を有する。本発明の反応ブロックに任意に適応させる、例えば反応ブロック足型を変更することなく、個々のウエル容量を効率的に増大させる他の反応ウエルの配置構造は、例えばＳｔａｎｃｈｆｉｅｌｄ等のＵＳＰ  ６，０５４，１００に“ＡＰＰＡＲＡＴＵＳ  ＦＯＲ  ＭＵＬＴＩ−ＷＥＬＬ  ＭＩＣＲＯＳＣＡＬＥ  ＳＹＮＴＨＥＳＩＳ”（２０００年４月２５日発行）と題して記載されている。この特許は、あらゆる目的のため、ここに全体を援用した。
【００５４】
反応ウエル、又はその一部は、均一な内側又は外側の断面寸法を有する。しかし、特定反応ウエルの少なくとも２つの領域は、異なる内側又は外側断面寸法を有する。例えば好ましい実施態様では、出口部は、反応ウエルの他の領域よりも小さい内側断面寸法の出口噴出口として形成される。これらの実施態様では、例えば反応ウエル内の出口噴出口と他の領域との間の内側遷移領域は、険しいか、或いは緩やか（例えば先細り、漸増的、又は階段状等）である。これらの遷移領域は、例えば特定の固体相合成反応で使用されるフィルターの台として任意に役立つ。以下、フィルターについて以下、更に説明する。本発明の反応ウエルは、例えば図４Ｃでは、ほぼ円筒形（即ち、円形断面）として概略図示したが、他の断面形状も含む。例示すると、反応ウエルの少なくとも断片は、例えば規則的なｎ辺多角形、不規則なｎ辺多角形、三角形、正方形、丸い正方形、長方形、丸い長方形、台形、円形、又は楕円形等の内側又は外側の断面形状を任意に有する。丸い内部反応ウエル表面は、通常、角のある内部ウエル表面によって生じる望ましくない液体吸上げ作用を低下させるため、一般に好ましい。
【００５５】
フィルターは、通常、例えば反応ウエル内に固体の支持体又は樹脂を保持し（例えば各種固体相合成実施計画中、等）、及び／又は流動性材料をろ過する（例えば各種の後反応仕上げ手順中、固体支持体から溶剤又はその他の溶液成分を溶離させる時）ため、本発明の平行反応装置に利用される。一般にフィルターは、反応ウエルの内側断面形状に対応する形状を有し、通常、反応ウエルに加圧してはめ合わされ、反応ウエルの出口部と他の領域との間の遷移領域に隣接して据え付けられる。反応ウエル中で選択された樹脂寸法を保持できるものであれば、本質的にいかなる材料も本発明装置のフィルターとして任意に使用される。好ましい実施態様では、フィルターとしては、寸法に対し材料を保持する半浸透膜がある。好適な半浸透膜は、一般に細孔寸法が約１ｎｍ以上のものを含む。例えば本発明の装置に任意に使用される半浸透膜材料は、約１μｍ〜約１００μｍ、通常、約５μｍ〜約５０μｍ、更に通常、約１０μｍ〜約２５μｍの細孔寸法を有する。
【００５６】
更に詳しくは、好適な半浸透膜材料は、例えばポリアラミド膜、ポリカーボネート膜、多孔質プラスチック母材膜（例えばＰＯＲＥＸ（登録商標）Ｐｏｒｏｕｓ  Ｐｌａｓｔｉｃ等）、多孔質金属母材膜、ポリエチレン膜、ポリ（二弗化ビニリデン）膜、ポリアミド膜、ナイロン膜、セラミック膜、ポリエステル膜、ポリテトラフルオロエチレン膜（ＴＥＦＬＯＮ（商品名））、織布メッシュ膜、ミクロろ過膜、ナノろ過膜、超ろ過膜、透析膜、複合膜、親水性膜、疎水性膜、ポリマーベース膜、非ポリマーベース膜、粉末活性炭膜、ポリプロピレン膜、ガラスファイバー膜、ガラス膜、ニトロセルロース膜、セルロース膜、硝酸セルロース膜、酢酸セルロース膜、ポリスルホン膜、ポリエーテルスルホン膜、又はポリオレフィン膜から任意に選択される。本発明で任意に使用されるフィルター（例えば半浸透膜材料）は、Ｐ．Ｊ．Ｃｏｂｅｒｔ  Ａｓｓｏｃｉａｔｅｓ，Ｉｎｃ．（Ｓｔ．Ｌｏｕｉｓ，ＭＯ）、又はＭｉｌｌｉｐｏｒｅ  Ｃｏｒｐｏｒａｔｉｏｎ（Ｂｅｄｆｏｒｄ，ＭＡ）等のような種々の市場供給者から広く入手できる。ろ過及び膜に関する更なる詳細は、例えばＨｏ及びＳｉｒｋａｒ（編），Ｍｅｍｂｒａｎｅ  Ｈａｎｄｂｏｏｋ，ｖａｎ  Ｎｏｓｔｒａｎｄ  Ｒｅｉｎｈｏｌｄ（１９９２），Ｃｈｅｒｙａｎ，Ｕｌｔｒａｆｉｌｔｒａｔｉｏｎ  ａｎｄ  Ｍｉｃｒｏｆｉｌｔｒａｔｉｏｎ  Ｈａｎｄｂｏｏｋ，第２編，Ｔｅｃｈｎｏｍｉｃ  Ｐｕｂｌｉｓｈｉｎｇ  Ｃｏｍｐａｎｙ（１９９８）、及びＭｕｌｄｅｒ，Ｂａｓｉｃ  Ｐｒｉｎｃｉｐｌｅｓ  ｏｆ  Ｍｅｍｂｒａｎｅ  Ｔｅｃｈｎｏｌｏｇｙ，第２編，Ｄｏｒｄｒｅｃｈｔ：Ｋｌｕｗｅｒ（１９９６）を含む各種刊行物に記載されている。
【００５７】
本発明の反応ブロックは、通常、単一統合ユニットとして作られる。反応ブロックは、個々の組立てた部品（例えば個々の反応ウエル等）から任意に組み立てられる。反応ブロックの製造材料又は支持体は、一般に反応不活性性、耐久性、又は費用等の特性に従って選択される。好ましい実施態様では、反応ブロック又はその構成部品は、ポリテトラフルオロエチレン（ＴＥＦＬＯＮ（商品名））、ポリプロピレン、ポリスチレン、ポリスルホン、ポリエチレン、ポリメチルペンテン、ポリジメチルシロキサン（ＰＤＭＳ）、ポリカーボネート、ポリ塩化ビニル（ＰＶＣ）、又はポリメチルメタクリレート（ＰＭＭＡ）等のような各種高分子材料から作られる。高分子部品は、通常、製造コストが経済的で、反応ブロックに使い捨て性（ｄｉｓｐｏｓａｂｉｌｉｔｙ）（即ち、蓋又は取付部品のような他の装置部品を取り替えることなく、反応ブロックを取り替えること）を与える。反応ブロック又は構成部品は、例えばガラス、金属（例えばステンレス鋼、陽極酸化アルミニウム等）、又はシリコン等の他の材料からも作られる。例えば反応ブロックは、永久に又は取り外し可能に一緒に結合又ははめ込んだ材料、例えばポリマー又はガラスの反応ウエルと、互いに反応ウエルの位置を決めるためのステンレス鋼フレームとの組合せから任意に組み立てられる。
【００５８】
反応ブロック又は反応ブロック部品は、例えば射出成形、注型、機械加工、型押、押出又はエッチング等の各種製造方法又はその組合せにより任意に製造される。これら及びその他の製造方法は一般に当該技術分野で公知であり、例えばＲｏｓａｔｏ，Ｉｎｊｅｃｔｉｏｎ  Ｍｏｌｄｉｎｇ  Ｈａｎｄｂｏｏｋ，第３編，Ｋｌｕｗｅｒ  Ａｃａｄｅｍｉｃ  Ｐｕｂｌｉｓｈｅｒｓ（２０００），Ｆｕｎｄａｍｅｎｔａｌｓ  ｏｆ  Ｉｎｊｅｃｔｉｏｎ  Ｍｏｌｄｉｎｇ，Ｗ．Ｉ．Ｔ．Ａｓｓｏｃｉａｔｅｓ（２０００），Ｗｈｅｌａｎ，Ｉｎｊｅｃｔｉｏｎ  Ｍｏｌｄｉｎｇ  ｏｆ  Ｔｈｅｒｍｏｐｌａｓｔｉｃ  Ｍａｔｅｒｉａｌｓ，Ｖｏｌ．２，Ｃｈａｐｍａｎ  ＆  Ｈａｌｌ（１９９１），Ｆｉｓｈｅｒ，Ｅｘｔｒｕｓｉｏｎ  ｏｆ  Ｐｌａｓｔｉｃｓ，Ｈａｌｓｔｅｄ  Ｐｒｅｓｓ（１９７６），及びＣｈｕｎｇ，Ｅｘｔｒｕｓｉｏｎ  ｏｆ  Ｐｏｌｙｍｅｒｓ：Ｔｈｅｏｒｙ  ａｎｄ  Ｐｒａｃｔｉｃｅ，Ｈａｎｓｅｒ−Ｇａｒｄｎｅｒ  Ｐｕｂｌｉｃａｔｉｏｎｓ（２０００）に記載されている。反応ブロックの作製後、反応ブロック又は反応ウエルのような部品は、例えば親水性コーティング、又は疎水性コーティング等により例えば表面をコーティングすることにより、更に任意に加工する。
【００５９】
好ましい実施態様では、本発明の反応ブロックは、対向する凹み領域と一緒に作製する。これらの領域は、各種取付部品を有するバンドを載せるために使用される。取付部品について以下、更に詳細に説明する。例示すると、反応ブロックは、通常、各表面の中央点に隣接する反応ブロックの対向する表面に配置された（例えば作られた）１対の実質的に対向する凹み領域を有する。反応ブロックは、対向する反応ブロック表面に配置された多数対の対向する凹み領域と一緒に任意に作られる。例えば一実施態様では、反応ブロックは、反応ブロックの４つの各側面に配置された実質的に連続の凹み領域を有する。更に他の実施態様では、反応ブロックは、例えば取付部品を持った多数バンドを載せるため、多数対の対向する凹み領域を有する。
【００６０】
特定の実施態様では、取付部品は、反応ブロックの統合部品として作られる。例えばヒンジ部品（例えば雄型又は雌型の離昇式ヒンジ部品等）又はラッチ部品（例えば保持板、又はラッチ本体等）等のような取付部品は、反応ブロック表面の部品として、例えば前述のような射出成形又はその他の方法を用いて作られる。
ＩＶ．取付部品
本発明の平行反応装置は、反応ブロックに頂部及び底部の蓋を取付けるための各種取付部品を備える。前述のように、本発明反応ブロックの好ましい実施態様は、各表面の中央点に隣接する反応ブロックの対向する表面に配置された少なくとも１対の実質的に対向する凹み領域を有し、該対向凹み領域に頂部及び底部の取付部品を載せてある。この実施態様では、頂部及び底部の取付部品は、一般に対向凹み領域内の反応ブロックの周りに配置されたバンドを有する。このバンドは、少なくとも１つの第一頂部ヒンジ部品（例えば１対のヒンジ部品等）、少なくとも１つの第一頂部ラッチ部品、少なくとも１つの第一底部ヒンジ部品（例えば１対のヒンジ部品等）、及び少なくとも１つの第一底部ラッチ部品を備える。少なくとも１つの第二頂部ヒンジ部品（例えば１対のヒンジ部品等）及び少なくとも１つの第二頂部ラッチ部品は、通常、頂部蓋に取付けられ、ここで第二頂部ヒンジ部品は、第一頂部ヒンジ部品と取り外し可能に噛み合い、また第二頂部ラッチ部品は、第一頂部ラッチ部品と取外し可能に噛み合っている。少なくとも１つの第二底部ヒンジ部品（例えば１対のヒンジ部品等）及び少なくとも１つの第二底部ラッチ部品は、通常、底部蓋に取付けられ、ここで第二底部ヒンジ部品は、第一底部ヒンジ部品と取り外し可能に噛み合い、また第二底部ラッチ部品は、第一底部ラッチ部品と取り外し可能に噛み合っている。各ヒンジ部品は、独立に雄型又は雌型離昇式ヒンジ部品又は他の種類のヒンジ部品を任意に有し、一方、各ラッチ部品は、独立にラッチ本体（例えば回転可能な引抜き式ラッチ本体等）、又は保持板等を任意に有する。
【００６１】
蓋を本発明装置の反応ブロックに取付ける方法は、従来の装置に比べて大きな利点を与える。特に本発明の好ましい実施態様は、所定装置の各蓋に対し１個のラッチを有する。これにより、例えば試薬をウエルに加えたり、流動性材料を取り出したり、ウエルを洗浄する場合等、反応ブロック内の反応ウエルに容易、迅速、かつ安全に接近できる。従来装置での接近の場合は、通常、多数のクリップ、ねじ、及び／又は他の部品を巧みに操作する工程を含み、これはスループットを制限する上、安全でないことも多い。本発明の装置で反応ウエルを接近させる容易性は、取り外し可能な蓋を備えた実施態様で更に高まる。しかも、複数の蓋は、互いに独立的に任意に開けられる（更に、取り外し可能なヒンジを有する実施態様では、取り外される）。ヒンジ及びラッチ部品の配列も、反応ウエルの入口部及び出口部に亘って実質的に均等な締付け負荷又は力を発生して、ガスケットを均一に押圧すると共に、反応ウエルを確実に密封し、こうしてサンプルの漏れによる反応不良や反応ウエル間の相互汚染を防止する。本発明装置のヒンジ及びラッチの配置構成も、複数の蓋を反応ブロックに取付けた時、これらの蓋（及び蓋の表面に配置された突起部）が反応ブロックと適切に、かつ互いに整列することを保証する。
【００６２】
図５Ａは、本発明の好ましい実施態様による組立てたバンドの概略上面図である。図示のように、組立バンド５００は、第一バンド部５０２及び第二バンド部５０４を有する。第一バンド部５０２及び第二バンド部５０４は、締め具５０６（例えばボルト、鋲、ねじ、ナット等）で互いに取付けらる。本発明取付部品用のバンドは、任意に、単一統合部品として作製するか、或いは２つよりも多い部分で構成される。バンドは、通常、公知技術（例えば従来の型押及び成形技術、射出成形等）を用いて、厚手のステンレス鋼シート材料又は耐久性プラスチック等）から作られるか或いは機械加工される。更に図示するように、頂部ラッチ本体５０８（回転可能な引抜き式ラッチ本体として示す）及び底部ヒンジ部品５１０（雄型離昇式ヒンジ部品として示す）が第一バンド部５０２に取付けられ（例えばねじ止め、鋲止め、ボルト止め、溶接、付着又は接着等により取付ける）、一方、底部ラッチ本体５１２及び頂部ヒンジ部品５１４は、第二バンド部５０４に取付けられる。図５Ｂは、組立バンド５００の概略側面図である。図５Ｃは、図５Ａのバンドの概略拡大上面図である。図５Ｄは、本発明の好ましい実施態様による反応ブロックの対向面上に配置された対向凹み領域に載せたバンドの概略拡大斜視図である。
【００６３】
本発明の取付部品は、各種の実施態様及び任意の配置構成を含む。例えばラッチ部品は、通常、引抜き式ラッチ部品であるが、その他の種類のラッチ又は締付け機構も本発明の装置との併用に適応できる。ラッチ部品は、一般にラッチ本体と、保持具、保持板、又はその他の留め金とを有する。保持具又はその他の留め金装置は、例えばラッチ本体の歯止め（つめ）保持に備える。好ましい実施態様では、ラッチ本体は、回転可能な引抜き式ラッチ本体である。ラッチ本体は、反応ブロックに、例えば直接（即ち、反応ブロックと一体的に）、又は蓋に取付けた対応する保持板と共にバンド（例えば図５Ａ参照）を介して、任意に取付けられる。或いはラッチ本体は、反応ブロックに（例えば直接、又はバンドを介して）取付けた対応する保持板と共に蓋に取付けられる。通常、蓋１つ当り、ラッチ１つが好ましいが、蓋１つ当り、多数のラッチを含むその他の配置も、本発明の装置に任意に適応される。
【００６４】
好ましい実施態様では、蓋は、反応ブロックに取り外し可能に取付けられる。したがって、一般に本発明では雄型及び雌型部品を含む離昇式ヒンジのようなヒンジ部品が使用される。雄型又は雌型ヒンジ部品は、通常、反応ブロックに直接（例えば反応ブロックの一成形部品等として作られる）、又は前述のように、蓋に取付けた対応ヒンジ部品と共にバンドを介して間接的に取付けられる。例えば図５Ａでは、ヒンジ部品５１０、５１４は、雄型離昇式ヒンジ部品である。特定の実施態様では、雌型ヒンジ部品は、例えばバンドに取付けられる。１つの蓋当り、通常、２つのヒンジが使用されるが、他の配置構成も任意に利用される。例えば２つのラッチと１つのヒンジにより、１つの蓋が、反応ブロックに任意に取付けられる（例えば反応ブロックの入口部又は出口部に亘って実質的に均等な締付け力を作用させるため、反応ブロック又はバンドの中心に配置された１つの蓋）。
【００６５】
図５Ａに示すように、ヒンジ部品の対（例えば底部ヒンジ部品５１０参照）は、装置の蓋の取り外しに備えて向いている。しかし特定の実施態様では、蓋は、任意に取り外し不能である。このような実施態様では、例えば１対のヒンジ部品の１つの部材は、例えば図５Ａに示す向きとは反対方向に向いている。本発明の装置には、離昇式ヒンジとは別種のヒンジが任意に使用される。本発明装置との併用に任意に適応される好適なヒンジ及びラッチ機構は、一般に当該技術分野で公知である。これらの取付部品は、射出成形又は注型等の公知技術により、鋼、ステンレス鋼、プラスチック、ゴム又はエラストマー等の各種材料から任意に作製される。ここで説明したヒンジ及びラッチ機構のような取付部品も、例えばＳｏｕｔｈｃｏ，Ｉｎｃ．（Ｃｏｎｃｏｒｄｖｉｌｅ，ＰＡ）等、種々の市場供給者から任意に入手できる。
Ｖ．蓋
本発明の平行反応装置は、反応ブロックの反応ウエルを密封するための頂部蓋及び底部蓋を備える。蓋は、通常、前述のように例えば反応ブロックのバンド上に配置された対応する取付部品と噛み合えるヒンジ及びラッチ部品のような取付部品を備える。好ましい実施態様では、頂部及び底部の蓋は、反応ブロックに取り外し可能に取付けられ、かつ互いに独立に開く。更に頂部及び底部の各蓋は、通常、例えば制御装置に対し平行反応装置を整合させる（ａｌｉｇｎ）ため、該制御装置上に少なくとも第二整合構造に相補的な少なくとも第一整合構造を有する。更に蓋は、反応ブロックを漏れなく効果的に密封するため、反応ブロックに整列した反応ウエルに対し、入口及び出口に亘って実質的に均等な締付け負荷又は力を生じる。
【００６６】
図６Ａは、本発明装置の頂部蓋の一実施態様の概略上面図である。図示のように、頂部蓋６００は、該頂部蓋６００に取付けた（例えばねじ止め、鋲止め、付着又は接着等で取付けた）ヒンジ部品６０２（例えば前述のような離昇式ヒンジ部品）及び保持板６０４を有する。前述のように、ラッチ本体は、保持板６０４の代りに頂部蓋６００に任意に取付けられる。組立装置では、頂部蓋６００は、反応ブロックの全ての入口部に亘って実質的に均等な締付け負荷を生じる。凹み上面６０８には、頂部蓋６００を貫通して配置された開口の配列６０６も示されている。好ましい実施態様では、各開口６１０は、反応ブロック中の異なる反応ウエルと軸方向に整列し、かつ先細りである（例えば頂部蓋６００の頂部表面上の断面寸法の方が、頂部蓋６００の底部表面上の断面寸法よりも大きい）。開口を有すると、例えば流動性材料（例えば試薬又は緩衝液等）を例えば注射器の針により反応ウエルに導入したり除去できる。例えば特定の実施実施計画による必要に応じて、針は、組立装置の反応ブロックと頂部蓋６００との間に配置されたガスケットを任意に貫通する。開口は、例えば針をはめた管が、例えば窒素、アルゴン又はその他のガス供給源から吸引して、反応ウエル中に不活性雰囲気を確立及び／又は維持することも可能にする。先細りの開口は、通常、反応ウエルへの針の導入を案内するか、さもなければ容易にするために含まれる。特定の実施態様では、開口は、平行反応装置の頂部蓋に含まれていない。図６Ｂは、頂部蓋６００の概略斜視図である。
【００６７】
図６Ｃは、頂部蓋６００の概略底面図であり、一方、図６Ｄは、頂部蓋６００の概略底面斜視図である。図示のように、凹み底面６１２は、各開口６１０の周りに配置された環状の突出隆起６１４を有する。組立装置では、環状突出隆起６１４は、頂部ガスケットを押圧し反応ウエルの入口部と接触して入口部を放射状に密封する。環状突出隆起６１４で生じた放射状密封により、入口部からの流動性材料の漏れが防止され、例えば反応ウエル間の相互汚染は減少する。図６C、６Ｄに図示したような突起は、通常、凹み底面６１２から約０．５〜約５ｍｍ、更に通常、凹み底面６１２から約０．１〜約３ｍｍ延びている。突起配列は、通常、開口が存在しなくても、頂部蓋の底面上に含まれている。このような突起は、環状隆起、ノブ、マウンド、円錐又はその他、本発明装置の反応ウエルを効果的に放射状に密封するいずれかの構造として、任意に形成される。ガスケット（例えばシートガスケット）は、通常、組立装置において反応ブロックの反応ウエルに対しガスケットを位置決めする凹み底面６１２中に配置される。頂部蓋６００は、横方向張出し６１６も有し、これにより、頂部蓋６００が装置にラッチ止めされていなくても、ガスケットを適所に保持する。頂部蓋６００は、更に例えば平進ステージ等の制御装置の部品に対し平行反応装置を整合させるための整合構造６１８を有する。
【００６８】
図６Ａは、本発明平行反応装置の底部蓋の一実施例の概略上面図である。図示のように、底部蓋７００は、該底部蓋７００に取付けたヒンジ部品７０２（例えば前述のような離昇式ヒンジ部品）及び保持板７０４を有する。底部蓋７００には、保持板の代りにラッチ本体が任意に取付けられる。組立装置において、底部蓋７００は、反応ブロックの全ての出口部に亘って実質的に均等な締付け負荷を生じる。頂部蓋を閉じると、反応ブロックの確実に密封された入口部によって反応ウエル内に有効な真空が生じるので、反応ウエルから流動性材料の漏れもなく、底部蓋を開けることができる。底部蓋７００は、頂部凹み表面７０６を有し、組立装置において、ガスケットは、通常、ここに配置される。ガスケットを適所に保持するため、底部蓋７００も、横方向張出し７０８を有する。図示しないが、底部蓋７００は、更に例えば頂部凹み表面７０６上に配置された前記頂部蓋６００の場合と同様な突起の配列を任意に有する。このような突起配列は、底部ガスケットを押圧し反応ウエルの出口部と接触して、組立装置中で出口部を密封する。特定の実施態様では、底部蓋も、蓋を貫通して配置された開口の配列を有し、これらの開口は、例えば反応ウエルから針（例えば注射針等）でサンプルを抽出するため、反応ブロックの複数の出口部と軸方向に整列している。前記頂部蓋６００と同様に、底部蓋７００も、整合構造７１０を有する。図７Ｂは、底部蓋７００の概略上面斜視図である。図７Ｃは、底部蓋７００の概略底面図であり、一方、図７Ｄは、底部蓋７００の概略底面斜視図である。更に図７Ｃ、７Ｄに示すように、底部蓋７００は、底部凹み表面７１２を有する。
【００６９】
本発明の蓋は、通常、各々標準マルチウエルプレートとほぼ同じ寸法の足型を有するので、組立てた平行反応装置は、例えば標準ミクロウエルプレート用に設計した自動化装置のホルダー内に置くことができる。本発明装置の蓋は、通常、例えば金属材料（例えば鋼、ステンレス鋼、陽極酸化アルミニウム合金等）又は特定の高分子材料等の各種耐久性材料から作られる。一般に、実験室条件に好適ないかなる頑丈な非腐蝕性材料も採用できる。更に蓋は、通常、射出成形、注型又は機械加工等、種々の周知技術を利用して作られる。
ＶＩ．ガスケット
本発明の装置で反応ウエルを効果的に密封するため、組立装置の蓋と反応ブロックとの間に一般にガスケットが配置される。好ましい実施態様では、頂部及び底部のガスケットは、ガスケット材料のシートである。本発明装置に使用するのに好適なガスケットシートは、多くは当該技術分野で周知である本質的にいかなる耐薬品性のゴム又はエラストマー材料からも任意に作製される。例えば好適なガスケットシートは、例えばＶｉｔｏｎ（登録商標）、Ｓａｎｔｏｐｒｅｎｅ（登録商標）、Ｔｅｆｌｏｎ（登録商標）、Ｃｏｒｅ−Ｔｅｘ（登録商標）又はＣｅｌｅｒｕｓ（商標）等から任意に作られる。これら材料の多くは、Ｗ．Ｌ．Ｇｏｒｅ  ＆  Ａｓｓｏｃｉａｔｅｓ（Ｎｅｗａｒｋ，ＤＥ）のような各種市場供給者から容易に入手できる。材料の組合せ、例えば積層状材料も、本発明の装置でガスケットシートとして任意に利用される。ガスケット材料は、通常、繰り返しの刺し孔や注射針の抜き取りに耐えた後もなお流動性材料の漏れもなく密封を維持する能力を基準にして選択される。この特性は、前述のように頂部蓋に開口配列を有する本発明装置の頂部ガスケットにとって特に重要である。
【００７０】
特定の実施態様では、ガスケットは、例えば反応ブロックの入口部又は出口部と軸方向に整列して表面上に配置された少なくとも１つの突起と一緒に作られる。これらの突起は、本発明の装置において、更に反応ウエルの放射状密封を行なうために含まれている。これらの実施態様では、少なくとも１つの突起は、通常、突起の配列を有し、配列中の各突起は、反応ブロックにおいて、異なる反応ウエルと軸方向に整列している。図８に、９６ウエル反応ブロック中の反応ウエルに対応する突起の配列を有する一例のガスケットシートの概略を示す。斜視図に示すように、ガスケットシート８００は、組立装置において、反応ブロックと噛み合う表面上に配置された突起８０２の配列を有する。また図示のように、ガスケットシートは、蓋８０６の凹み領域８０４中にはめ込む。特定の実施態様では、突起配列を有するガスケットシート（例えばキャップマット等）は、前述のような突起配列を有する蓋と一緒でも使用される。他の実施態様では、蓋と反応ブロック表面との間に多数ガスケットシート（例えば２、３、４等）が配置される。これらの実施態様では、１つ以上の多数ガスケットシートは、任意に突起の配列を有する。
ＶＩＩ．反応ブロック容器
本発明は、通常、ここで説明した平行反応装置に非使い捨て部品を含む反応ブロック容器も提供する。特に、反応ブロック容器は、一般に、取付部品（例えばバンド、ヒンジ部品、ラッチ部品等）、頂部蓋及び底部蓋を含有する。本発明反応ブロック容器の上記部品を更に詳細に説明する。
【００７１】
一実施態様では、反応ブロック容器は、少なくとも１つの第一頂部ヒンジ部品、少なくとも１つの第一頂部ラッチ部品、少なくとも１つの第一底部ヒンジ部品、及び少なくとも１つの第一底部ラッチ部品を含有する。バンドの複数部分は、反応ブロック上の対向する凹み領域に載せることができる。反応ブロック容器も、頂部蓋に取付けた少なくとも１つの第二頂部ヒンジ部品及び少なくとも１つの第二頂部ラッチ部品を有する頂部蓋を含有する。第二頂部ヒンジ部品は、第一頂部ヒンジ部品と噛み合い、また第二頂部ラッチ部品は、第一頂部ラッチ部品と取り外し可能に噛み合っている。また反応ブロック容器は、底部蓋に取付けた少なくとも１つの第二底部ヒンジ部品及び少なくとも１つの第二底部ラッチ部品を有する底部蓋を含む。第二底部ヒンジ部品は、第一底部ヒンジ部品と噛み合い、また第二底部ラッチ部品は、第一底部ラッチ部品と取り外し可能に噛み合っている。
【００７２】
他の一実施態様では、本発明の反応ブロック容器は、少なくとも１つの第一頂部ヒンジ部品、少なくとも１つの第一頂部ラッチ部品、少なくとも１つの第一底部ヒンジ部品及び少なくとも１つの第一底部ラッチ部品を有するバンドを含有する。バンドの複数部分は、反応ブロック上の対向する凹み領域に載せることができる。反応ブロック容器は、反応ブロックと噛み合う表面上に配置された少なくとも１つの突起（例えば突起の配列等）を有する頂部蓋を更に含有する。突起は、ガスケットを押圧し反応ブロックの反応ウエルの少なくとも一部と接触することができる。頂部蓋も、頂部蓋に取付けた少なくとも１つの第二頂部ヒンジ部品及び第二頂部ラッチ部品を有する。第二頂部ヒンジ部品は、第一頂部ヒンジ部品と噛み合い、また第二頂部ラッチ部品は、第一頂部ラッチ部品と取り外し可能に噛み合っている。反応ブロック容器は、底部蓋に取付けた少なくとも１つの第二底部ヒンジ部品及び少なくとも１つの第二底部ラッチ部品を有する底部蓋を更に含有する。第二底部ヒンジ部品は、第一底部ヒンジ部品と噛み合い、また第二底部ラッチ部品は、第一底部ラッチ部品と取り外し可能に噛み合っている。
【００７３】
好ましい実施態様では、本発明反応ブロック容器の頂部蓋も、頂部蓋を貫通して配置された開口の配列を含有する。少なくとも１つの開口は、反応ブロック中に配置された少なくとも１つの反応ウエルと軸方向に整列している。通常、開口配列の各部材は、反応ブロック中に配置された異なる反応ウエルと軸方向に整列している。例示すると、図９は、頂部蓋が開口配列を有する本発明の一実施態様による反応ブロック容器の概略拡大斜視図である。
ＶＩＩＩ．合成システム
本発明は、例えばコンビナトリアルライブラリーを合成し、選別するための、ここで説明した平行反応装置を有する合成システム（例えば自動化ワークステーション等）も提供する。本発明のシステムは、平行反応装置の他、通常、他の容器（例えばフラスコ、試験管、又はミクロウエルプレート（例えば深いウエル収集プレート）等）及びハンドリングシステム（例えばビーズ（ｂｅａｄ）ハンドラー、流体ハンドラー、装置キャリヤー等）を有する。他の容器は、固体支持体（例えば個々のビーズ、ティーバッグ、ミクロ容器、又はその他、内部に多数のビーズ、又はその他の固体支持体を有する容器）及び／又は試薬を、反応ブロック又は他の容器に、及び反応ブロック又は他の容器から、移動するように構成されている。分子のトラッキング及び同定に備えた固体支持体容器等、本発明の装置に任意に使用される固体支持体容器についての更なる詳細は、例えばＮｏｖａ等のＵＳＰ  ６，１３６，２７４（２０００年１０月２４日公布）に“ＭＡＴＲＩＣＥＳ  ＷＩＴＨ  ＭＥＭＯＲＩＥＳ  ＩＮ  ＡＵＴＯＭＡＴＥＤ  ＤＲＵＧ  ＤＩＳＣＯＶＥＲＹ  ＡＮＤ  ＵＮＩＴＳ  ＴＨＥＲＥＦＯＲ”と題して記載されている。この特許は、あらゆる目的のため、全体をここに援用した。他のシステム部品としては、例えば反応ウエルから流動性材料を溶離するための真空マニホールドシステム、反応ウエル内の温度を調節するための定温器及び／又はオーブン、遠心機、或いは振とう機又はその他の撹拌装置等が任意に挙げられる。本発明の装置も、通常、例えば選択した数の合成したライブラリーの化学的又は物理的特性を検出するための検出器（例えば質量分析計等）、及びハンドリング用の検出及び／又は他のシステムに操作可能に接続したコンピュータ（例えば情報器械又はデジタル装置等）を備える。以下、一例のシステムを説明する。
【００７４】
本発明装置との併用に任意に適応させる合成システム及びコンビナトリアル合成法に関する更なる詳細は、例えばＣａｒｇｉｌｌ及びＭａｉｅｆｓｋｉ（１９９６）“Ａｕｔｏｍａｔｅｄ  ｃｏｍｂｉｎａｔｏｒｉａｌ  ｃｈｅｍｉｓｔｒｙ  ｏｎ  ｓｏｌｉｄ  ｐｈａｓｅ”，Ｌａｂ．Ｒｏｂｏｔｉｃｓ．Ａｕｔｏｍａｔｉｏｎ  ８：１３９−１４８，Ｚｕｃｋｅｒｍａｎｎ等（１９９２），“Ｄｅｓｉｇｎ，ｃｏｎｓｔｒｕｃｔｉｏｎ  ａｎｄ  ａｐｐｌｉｃａｔｉｏｎ  ｏｆ  ａ  ｆｕｌｌｙ  ａｕｔｏｍａｔｅｄ  ｅｑｕｉｍｏｌａｒ  ｐｅｐｔｉｄｅ  ｍｉｘｔｕｒｅ  ｓｙｎｔｈｅｓｉｚｅｒ”，Ｉｎｔ．Ｊ．Ｐｅｐｔｉｄｅ  Ｐｒｏｔ．Ｒｅｓ．４０：４９７−５０６，Ｃａｓｔｅｌｉｎｏ等（２０００）“Ａｕｔｏｍａｔｅｄ  ｓｏｌｉｄ−ｐｈａｓｅ  ｓｙｎｔｈｅｓｉｓ  ｏｆ  ｌｉｎｅａｒ  ｎｉｔｒｏｇｅｎ−ｌｉｎｋｅｄ  ｃｏｍｐｏｕｎｄｓ”，Ｂｉｏｔｅｃｈｎｏｌ．Ｂｉｏｅｎｇ．７１：１９−２７，Ｇｒｏｇｅｒ等（２０００）“１，３，５−Ｔｒｉａｚｉｎｅｓ，ｖｅｒｓａｔｉｌｅ  ｉｎｄｕｓｔｒｉａｌ  ｂｕｉｌｄｉｎｇ  ｂｌｏｃｋｓ：Ｓｙｎｔｈｅｔｉｃ  ａｐｐｒｏａｃｈｅｓ  ａｎｄ  ａｐｐｌｉｃａｔｉｏｎｓ”，Ｃｈｉｍ．Ｏｇｇｉ．１８：１２−１６，Ｈａａｇ（２０００）“Ｃｈｅｍｓｐｅｅｄ  Ｌｔｄ．：Ａｕｔｏｍａｔｅｄ  ａｎｄ  ｕｎａｔｔｅｎｄｅｄ  ｐａｒａｌｌｅｌ  ｓｙｎｔｈｅｓｉｓ  ｉｎｔｅｇｒａｔｉｎｇ  ｗｏｒｋ−ｕｐ  ａｎｄ  ａｎａｌｙｓｉｓ”，Ｃｈｉｍｉａ  ５４：１６３−１６４，Ｈｕ等（２０００）“Ａｕｔｏｍａｔｅｄ  ｓｏｌｉｄ−ｐｈａｓｅ  ｓｙｎｔｈｅｓｉｓ  ａｎｄ  ｐｈｏｔｏｐｈｙｓｉｃａｌ  ｐｒｏｐｅｒｔｉｅｓ  ｏｆ  ｏｌｉｇｏｄｅｏｘｙｎｕｃｌｅｏｔｉｄｅｓ  ｌａｂｅｌｅｄ  ａｔ  ５’−ａｍｉｎｏｔｈｙｍｉｄｉｎｅ  ｗｉｔｈ  Ｒｕ（ｂｐｙ）（２）（４−ｍ−４’−ｃａｍ−ｂｐｙ）（２＋）”，Ｉｎｏｒｇ．Ｃｈｅｍ．３９：２５００−２５０４，Ｌｅｗｉｓ等（２０００）“Ａｕｔｏｍａｔｅｄ  ｈｉｇｈ−ｔｈｒｏｕｇｈｐｕｔ  ｑｕａｎｔｉｆｉｃａｔｉｏｎ  ｏｆ  ｃｏｍｂｉｎａｔｏｒｉａｌ  ａｒｒａｙｓ”，Ａｍｅｒｉｃａｎ  Ｐｈａｒｍａｃｅｕｔｉｃａｌ  Ｒｅｖｉｅｗ  ３：６３−６８，Ｎｏｒｔｈ（２０００）“Ｉｍｐｌｅｍｅｎｔａｔｉｏｎ  ｏｆ  ａｎａｌｙｔｉｃａｌ  ｔｅｃｈｎｏｌｏｇｉｅｓ  ｉｎ  ａ  ｐｈａｒｍａｃｅｕｔｉｃａｌ  ｄｅｖｅｌｏｐｍｅｎｔ  ｏｒｇａｎｉｚａｔｉｏｎ−ｌｏｏｋｉｎｇ  ｉｎｔｏ  ｔｈｅ  ｎｅｘｔ  ｍｉｌｌｅｎｎｉｕｍ”，Ｊｏｕｒｎａｌ  ｏｆ  Ａｕｔｏｍａｔｅｄ  Ｍｅｔｈｏｄｓ  ａｎｄ  Ｍａｎａｇｅｍｅｎｔ  ｉｎ  Ｃｈｅｍｉｓｔｒｙ  ２２：４１−４５、及びＫｅｉｆｅｒ等（２０００）“Ｄｉｒｅｃｔ−ｉｎｊｅｃｔｉｏｎ  ＮＭＲ（ＤＩ−ＮＭＲ）：Ａ  ｆｌｏｗ  ＮＭＲ  ｔｅｃｈｎｉｑｕｅ  ｆｏｒ  ｔｈｅ  ａｎａｌｙｓｉｓ  ｏｆ  ｃｏｍｂｉｎａｔｏｒｉａｌ  ｃｈｅｍｉｓｔｒｙ  ｌｉｂｒａｌｉｅｓ”，Ｊｏｕｒｎａｌ  ｏｆ  Ｃｏｍｂｉｎａｔｏｒｉａｌ  Ｃｈｅｍｉｓｔｒｙ  ２：１５１−１７１に記載されている。
Ａ．制御器
本発明のハンドリングシステムは、通常、別個の又は一体化部品として、１つ以上の制御器を組み込んである。制御器は、一般に試薬の分配量、並びに固体支持体の隔離及び分布を調節するのに使用される。これらの目的には、各種の有用なロボットエレメント（ロボットアーム、可動性操作台等）が使用又は改変できる。
【００７５】
例示すると、制御器は、通常、ハンドリングシステムのビーズハンドリングエレメントを例えば選択したビーズ又はその他の固体支持体に分配又は抽出するため、例えば反応ブロックの選択した反応ウエル、ミクロウエルプレート上のウエル、又はその他の反応容器に浸漬することを命令する。本発明の制御システムは、通常、ここで説明した平行反応装置又はその他のシステム部品を受け取るか又はインターフェースするよう適切に構成されている。制御器は、例えばビーズ／流体ハンドラー及び／又は検出器及び特定の平行反応装置の間を容易に適切にインターフェースさせるため、本発明の反応装置を配置又は載せる足場（ｓｔａｇｅ）を任意に備える。通常、足場は、例えば適切な装置整合を容易にするため、整合ピン及び／又は孔、或いはネスティングウエル等のような適切な取付（ｍｏｕｎｔｉｎｇ）／整合構造エレメントを有する。
Ｂ．検出器
本発明のシステムは、例えば質量、濃度、蛍光、燐光、放射性、ｐＨ、電荷、吸光度、屈折率、発光、ルミネセンス、温度、又は磁気等を検出する各種の信号検出器を任意に備える。検出器は、例えば所定の合成工程実施時の上流及び／又は下流からの１つ又は複数の信号を任意にモニターする。例えば検出器は、適所において“リアルタイム”結果に対応する複数の光学信号をモニターする。例示の検出器又はセンサーとしては、光倍増管、ＣＣＤアレイ、光学センサー、温度センサー、圧力センサー、ｐＨセンサー、導電率センサー又は走査検出器等がある。検出器は、アッセイ成分に対し任意に移動するか、或いは選択した合成生成物サンプルのようなアッセイ成分が、検出器に対して任意に移動する。本発明のシステムは、多重検出器を任意に備える。この種の検出器は、いずれもここで説明したシステムに容易に任意に組み込まれる。これらのシステムでは、このような検出器は、通常、例えば検出器が反応容器と感知連絡可能な範囲内にあるように、特定の反応容器内又は隣接して置かれる。ここで用いた特定領域又はエレメントの“感知連絡可能な範囲内”とは、一般に検出器が意図する、反応容器又はその一部の性能、又は該容器の一部の内容物等を検出できるような所に検出器を配置することを云う。検出器は、任意に、例えば検出器の信号情報をアッセイ結果情報等に変換するためのシステムソフトウエアを備えたコンピュータを有するか、或いは操作可能に連結される。
【００７６】
検出器は、任意に、別個のユニットとして存在するか、或いはハンドリングシステム又は制御システムと共に単一器具に一体化される。これらの機能を単一ユニットに一体化すると、システム部品間に情報を送るための少数又は単一の連絡ポートを使用できるので、これら器具とコンピュータ（以下に説明する）との接続が容易となる。
【００７７】
本発明で任意に使用される特定の検出システムとしては、例えば質量分析計、発光分光器、蛍光分光器、燐光分光器、ルミネセンス分光器、分光光度計、光度計、核磁気共鳴スペクトロメーター、電子常磁性共鳴スペクトロメーター、電子スピン共鳴分光器、濁度計、比濁計、ラマン分光器、屈折計、干渉計、Ｘ線回折分析計、電子回折分析計、旋光計、旋光分散分析計、円二色性スペクトロメーター、電位計、クロノポテンシオメーター、電量計、電流計、電気伝導度計、比重計（ｇｒａｖｉｍｅｔｅｒ）、熱比重計、滴定濃度計（ｔｉｔｒｉｍｅｔｅｒ）、示差走査カロリメーター、放射化分析計、又は放射性同位元素希釈分析計等が挙げられる。
Ｃ．コンピュータ
前述のように、本発明のシステムは、各種システム部品に操作可能に接続するか又は部品内に入れたコンピュータ（又はその他の情報器具）を任意に備える。コンピュータは、通常、例えば固体支持体を、選択した反応ウエル又はその他の容器に隔離又は分配すること、各種試薬（例えば異なる成分又は構成単位（ｂｕｉｌｄｉｎｇ  ｂｌｏｃｋ）、又は足代（ｓｃａｆｆｏｌｄ）等）を反応ブロックの選択した反応ウエルに配達すること、或いは反応ウエル内の不活性環境を維持するため注射針でガスを配達すること等をハンドリングシステム及び検出システムに命令するシステムソフトウエアを備える。その他、ハンドリング／制御システム及び／又は検出システムは、適切にプログラムしたプロセッサー又はコンピュータに任意に結合させる。このプロセッサー又はコンピュータは、プログラムしたか又はユーザーの入力命令に従ってこれら機器の操作を命令し、機器からのデータ及び情報を受け取り、更にこの情報を解釈し、処理し、ユーザーに報告するように機能する。したがって、コンピュータは、通常、これらの機器（例えば必要に応じて、デジタルからアナログへの変換器又はアナログからデジタルへの変換器を含む）
の一方又は両方に適切に結合している。
【００７８】
ワード処理ソフトウエア（例えばＭｉｃｒｏｓｏｆｔ  Ｗｏｒｄ（商標）又はＣｏｒｅｌ  ＷｏｒｄＰｅｒｆｅｃｔ（商標））及びデータベースソフトウエア（例えばＭｉｃｒｏｓｏｆｔ  Ｅｘｃｅｌ（商標）、Ｃｏｒｅｌ  Ｑｕａｔｔｒｏ  Ｐｒｏ（商標）のようなスプレッドシートソフトウエア、或いはＭｉｃｒｏｓｏｆｔ  Ａｃｓｅｓｓ（商標）又はＰａｒａｄｏｘ（商標）のようなデータベースプログラム）のような標準デスクトップ応用は、それらの試薬又は集団（ｍａｓｓ）に対応する文字ストリングを入力することにより、本発明に適応できる。例えばこれらのシステムは、例えば試薬情報の処理にユーザーのインターフェース（例えばウインドーズ、マッキントッシュ又はＬＩＮＵＸシステムのような標準操作システム中のＧＵＩ）と協力して使用される、適切な試薬情報を入れた前記ソフトウエアを任意に備える。
【００７９】
コンピュータは、例えばＰＣ（Ｉｎｔｅｌ  ｘ８６チップ適合性ＤＯＳ（商標），ＯＳ２（商標），ＷＩＮＤＯＷＳ（商標），ＷＩＮＤＯＷＳ  ＮＴ（商標），ＷＩＮＤＯＷＳ９５（商標），ＷＩＮＤＯＷＳ９８（商標），ＬＩＮＵＸベースのマシン，ＭＡＣＩＮＴＯＳＨ（商標），Ｐｏｗｅｒ  ＰＣ，又はＵＮＩＸベース（例えばＳＵＮ（商標）ワークステーション）のマシン）又はその他、当業者に公知の普通の市販コンピュータであってよい。例えばライブラリー合成を行なうためのソフトウエアは、当業者ならば、Ｖｉｓｕａｌ  ｂａｓｉｃ，Ｆｏｒｔｒａｎ，Ｂａｓｉｃ又はＪａｖａ等の標準プログラミング言語を用いて容易に任意に作られる。いずれの制御器又はコンピュータも、多くの場合、陰極線管（“ＣＲＴ”）ディスプレイ又はフラットパネルディスプレイ（例えば活性マトリックス液晶ディスプレイ、液晶ディスプレイ）等であるモニターを任意に備える。コンピュータ回路（ｃｉｒｃｕｉｔｒｙ）は、箱に入れることが多く、マイクロプロセッサー、メモリー及びインターフェース等の回路のような多数の積層回路チップを有する。この箱は、ハードディスクドライブ、フロッピーディスクドライブ、書き込み可能のＣＤ−ＲＯＭのような大容量取り外し可能のドライブ、及びその他、普通の周辺エレメントも任意に含む。キーボード又はマウスのような入力装置は、ユーザーからの入力に備える。
【００８０】
コンピュータは、通常、ユーザーからの命令を、例えばユーザー入力をＣＵＩ中の１セットのパラメーターフィールドに入れる形態で、或いはプログラムした命令、例えば各種の異なる特定の操作用にプログラムした形態で、ユーザーの命令を受けるための適切なソフトウエアを備える。そうすると、ソフトウエアは、これらの命令を、１つ以上の制御器の操作を命令して所望の操作を行ない、例えば各種システム部品の移動速度又は様式を変えるか選択し、ビーズ／流体又はその他の試薬ハンドラー或いは１つ以上のミクロウエルプレート又はその他の反応容器のＸ−Ｙ−Ｚ並進を指令する等のため、適切な言語に変換する。次にコンピュータは、このシステム内にある１つ以上のセンサー／検出器からデータを受け取り、データを解釈し、これをユーザーが理解したフォーマットに供給するか、或いは例えば反応温度をモニターするか、撹拌速度を調節する等の際に、プログラミングに従って更なる制御器の命令を開始するために、このデータを使用する。
【００８１】
本発明は、平行反応装置又は該装置の部品を含むキットも提供する。例えばキットは、通常、ここに記載したように、少なくとも１つの反応ブロック、ヒンジ部品及びラッチ部品を取付けたバンド、頂部及び底部のガスケット、及び頂部及び底部の蓋を有する。本発明キットの装置は、任意に予め組立てられているか、組立てられていない。キットは、本発明装置において選択した固体相合成を行うため、更に試薬、制御／修正用材料、及び固体支持体を更に含めて、任意に包装される。予め包装した試薬を含む場合、試薬を計量することなく、合成実施計画に直ぐ導入できるように、キットは、予め計量又は配分した試薬、例えばキットの最終ユーザーが容易に再設定できる、予め計量した流体のアリコート、又は予め秤量又は計量した固体試薬を任意に含有する。一般に試薬は、長期間、例えば漏れによる劣化又はその他の損害を防止するため、安定化した形態で供給される。試薬の保存には、化学的安定剤（即ち、酵素阻害剤、殺菌剤（ｍｉｃｒｏｃｉｄｅ）／細菌発育阻止剤、凝固防止剤）の含有、例えば固体支持体上での不動化、母材（即ち、ゲル）内への閉じ込み、又は親液化等による材料の物理的安定化のような多数の安定化法が広く使用されている。特定の実施態様では、キットは、使い捨て反応ブロック及び／又はガスケット、又はその他の部品（例えば蓋、取付部品、反応ブロック容器等）のような選択した装置部品のみ含有する。キットは、通常、装置又はその部品を操作又は維持するための適切な使用説明書を含む。またキットは、通常、キット部品を保持するための包装材料又は容器を含む。
Ｘ．有用性
本発明の平行反応装置は、固体−又は溶液−相有機合成を含む本質的にいかなる化学的合成法にも使用されるように設計されている。本発明の装置は、多数の個々の反応を同時に行う場合、例えば合成及び／又は製造（ｗｏｒｋｕｐ）方法でろ過工程が必要な場合、特に有用性を与える。本発明平行反応装置又は装置部品のその他の具体的使用法としては、多数の同時クロマトグラフィー又は親和性による分離／精製を行うことが挙げられる。例示すると、装置の各反応ウエルは、例えば関連技術分野で普通に知られている、シリカゲル、アルミナ又はその他、多くの吸着剤／樹脂による化学的混合物のクロマトグラフィー分離用のカラムとして任意に役立つ。サンプル又はその他の材料の溶離は、通常、重力によるか、或いは適用圧力によるものである。合成経路、分離及びその他、方法に関する更なる詳細は、例えばＳｅｎｅｃｉ，Ｓｏｌｉｄ−Ｐｈａｓｅ  Ｓｙｎｔｈｓｉｓ  ａｎｄ  Ｃｏｍｂｉｎａｔｏｒｉａｌ  Ｔｅｃｈｎｏｌｏｇｉｅｓ，Ｊｏｈｎ  Ｗｉｌｅｙ  ＆  Ｓｏｎｓ，Ｉｎｃ．（２０００），Ａｌｂｅｒｉｃｉｏ及びＫａｔｅｓ，Ｓｏｌｉｄ−Ｐｈａｓｅ  Ｓｙｎｔｈｓｉｓ：Ａ  Ｐｒａｃｔｉｃａｌ  Ｇｕｉｄｅ，Ｍａｒｃｅｌ  Ｄｅｋｋｅｒ（２０００），Ａｎ及びＣｏｏｋ（２０００）“Ｍｅｔｈｏｄｏｌｏｇｉｅｓ  ｆｏｒ  ｇｅｎｅｒａｔｉｎｇ  ｓｏｌｕｔｉｏｎ−ｐｈａｓｅ  ｃｏｍｂｉｎａｔｏｒｉａｌ  ｌｉｂｒａｒｉｅｓ”，Ｃｈｅｍ．Ｒｅｖ．１００：３３１１−３３４０，Ｗｕ（編），Ｃｏｌｕｍｎ  Ｈａｎｄｂｏｏｋ  ｆｏｒ  Ｓｉｚｅ  Ｅｘｃｌｕｓｉｏｎ  Ｃｈｒｏｍａｔｏｇｒａｐｈｙ，Ｈａｒｃｏｕｔ  Ｂｒａｃｅ  ＆  Ｃｏｍｐａｎｙ（１９９８），及びそれらに引用された文献に記載されている。その他の一般的な文献としては、例えばＭａｒｃｈ，Ａｄｖａｎｃｅｄ  Ｏｒｇａｎｉｃ  Ｃｈｅｍｉｓｔｒｙ：Ｒｅａｃｔｉｏｎｓ，Ｍｅｃｈａｎｉｓｍｓ，ａｎｄ  Ｓｔｒｕｃｔｕｒｅ，第４編，Ｊｏｈｎ  Ｗｉｌｅｙ  ＆  Ｓｏｎｓ，Ｉｎｃ．（１９９２），Ｓｍｉｔｈ及びＭａｒｃｈ，Ｍａｒｃｈ’ｓ  Ａｄｖａｎｃｅｄ  Ｏｒｇａｎｉｃ  Ｃｈｅｍｉｓｔｒｙ：Ｒｅａｃｔｉｏｎｓ，Ｍｅｃｈａｎｉｓｍｓ，ａｎｄ  Ｓｔｒｕｃｔｕｒｅ，第５編，Ｊｏｈｎ  Ｗｉｌｅｙ  ＆  Ｓｏｎｓ，Ｉｎｃ．（２００１），Ｃａｒｅｙ及びＳｕｎｄｂｅｒｇ，Ａｄｖａｎｃｅｄ  Ｏｒｇａｎｉｃ  Ｃｈｅｍｉｓｔｒｙ  Ｐａｒｔ  Ａ：Ｓｔｒｕｃｔｕｒｅ  ａｎｄ  Ｍｅｃｈａｎｉｓｍ，第４編，Ｐｌｅｎｕｍ  Ｐｒｅｓｓ（２０００）、及びそれらに記載の文献が挙げられる。
【００８２】
本発明の平行反応装置は、各種生物学的サンプルの処理にも任意に使用される。例えば、嫌気性微生物を含む大多数の微生物又は組織サンプルは、これら装置の反応ウエル中で並列に培養できる。組織又は細胞の培養法は、例えばＡｕｓｕｂｅｌ等編，Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂｌｉｓｈｉｎｇ  Ａｓｓｏｃｉａｔｅｓ，Ｉｎｃ．とＪｏｈｎ  Ｗｉｌｅｙ  ＆  Ｓｏｎｓ，Ｉｎｃ．との共同企業体（２０００年に補遣），Ｆｒｅｓｈｎｅｙ，Ｃｕｌｔｕｒｅ  ｏｆ  Ａｎｉｍａｌ  Ｃｅｌｌｓ，ａ  Ｍａｎｕａｌ  ｏｆ  Ｂａｓｉｃ  Ｔｅｃｈｎｉｑｕｅ，第３編，Ｗｉｌｅｙ−Ｌｉｓｓ（１９９４）、及びＨｕｍａｓｏｎ，Ａｎｉｍａｌ  Ｔｓｓｕｅ  Ｔｅｃｈｎｉｑｕｅｓ，第４編，Ｗ．Ｈ．Ｆｒｅｅｍａｎ  ａｎｄ  Ｃｏｍｐａｎｙ（１９７９）、及びそれらに引用された文献を含む各種刊行物に記載されている。その他の非限定的例には、薬学的候補の選別、アポトーシス分析、又はその他、当該技術分野に公知の多くのアッセイのような細胞ベースの各種アッセイを行うことも含まれる。細胞溶解物の成分も、例えば本発明装置の反応ウエル配列に配置した、フリット材料又は普通に知られている組合せ（ａｓｓｏｒｔｅｄ）樹脂を用いて任意に分離される。
【実施例１】
【００８３】
ＸＩ．実施例
Ａ．合成システム例
図１０は、本発明の各種局面を具体化できる論理装置を含む代表例の概略合成装置図である。当業者ならばここで提供した教示から理解されるように、本発明は、ハードウエア及びソフトウエアで任意に行われる。幾つかの実施態様では、本発明の各種局面は、依頼人側の論理又はサーバー側の論理のいずれかで行われる。当該技術分野で理解されているように、本発明又はそのコンポーネントは、適切に構成されたコンピュータ装置にロードした時、該装置を本発明に従って実行させる論理命令及び／又はデータを含む媒体プログラムコンポーネント（例えば固定媒体コンポーネント）中で具体化できる。また当該技術分野で理解されているように、論理命令を含む固定媒体は、視聴者のコンピュータに物理的にロードするため、固定媒体上の視聴者に配達してもよいし、或いは論理命令を含む固定媒体は、視聴者がプログラムコンポーネントをダウンロードするため、通信媒体を介してアクセスする遠隔サーバーに置いてもよい。
【００８４】
図１０は、媒体１０１７及び／又はネットワークポート１０１９（固定媒体１０２２を有するサーバー１０２０に任意に接続可能）から命令を読み取ることができる論理装置（例えばコンピュータ等）として理解してよい情報装置又はデジタル装置１０００を示す。その後、装置１０００は、当該技術分野で理解されているように、サーバー又は依頼人の論理を本発明局面の具体化に向けるため、これらの命令を使用できる。本発明を具体化できる一タイプの論理装置は、ＣＰＵ１００７、任意の入力装置１００９、１０１１、ディスクドライブ１０１５及び任意のモニター１００５を含む、１０００で示すようなコンピュータシステムである。固定媒体１０１７、又はポート１０１９上の固定媒体１０２２は、このようなシステムにプログラムを入れるのに使用でき、またディスク型の光学媒体又は磁気媒体、磁気テープ、固体状態の動的メモリー又は静的メモリーを表わすことができる。特定の実施態様では、本発明の局面は、この固定媒体に記録したソフトウエアとして、全体的に又は部分的に具体化できる。通信ポート１０１９は、このようなシステムにプログラムを入れるのに使用される命令を受けるためにも使用でき、またいかなる種類の通信接続も表わすことができる。本発明の局面は、応用特定積層回路（ＡＳＩＣ）又はプログラム可能な論理装置（ＰＬＤ）の回路内で全体的に又は部分的に任意に具体化できる。このような場合、本発明の局面は、ＡＳＩＣ又はＰＬＤの作製に使用できるコンピュータの理解可能な記述言語で具体化できる。
【００８５】
図１０は、ハンドリングシステム１０２４及び検出システム１０２６も備え、両システムは、サーバー経由でデジタル装置１０００に操作可能に接続している。ハンドリングシステム１０２４及び／又は検出システム１０２６は、直接デジタル装置１０００に任意に接続される。操作中、ハンドリング装置１０２４は、通常、試薬及び／又は固体支持体（例えば個々のビーズ、ティーバッグ等）を、平行反応装置１０２８の選択した反応ウエルに分配する。ハンドリングシステム１０２４は、更なる合成ラウンドのため、又は例えば生成物の開裂（ｃｌｅａｖａｇｅ）に続く、生成物の分析のため、合成工程間に、固体支持体を任意に貯める、及び／又は隔離する。検出システム１０２６は、合成に続くライブラリーの多数の選択した部材を検出するための質量分析計を任意に備える。デジタル装置１０００は、検出システム１０２６で検出された情報を１つ以上の論理命令を用いて、デジタル化し、記憶し、処理する。
【００８６】
明確性及び理解の目的で本発明を若干詳細に説明したが、当業者ならば、この開示を読むことにより、本発明の範囲を逸脱することなく、形式や詳細の各種変化をなし得ることは明らかであろう。例えば、上記説明した技術及び装置は全て、種々組み合わせて使用できる。本出願で引用した全ての刊行物、特許、特許出願、又はその他の文献は、各個別の刊行物、特許、特許出願、又はその他の文献が、あらゆる目的で援用されるように個々に述べているのと同じ程度に、あらゆる目的で本出願に援用した。
【図面の簡単な説明】
【００８７】
【図１】本発明平行反応装置の好ましい実施態様の概略正面斜視図。
【図２】本発明平行反応装置の好ましい実施態様の概略拡大斜視図。
【図３Ａ】図２の組立反応装置の一部切欠け概略正面図。
【図３Ｂ】図２の組立反応装置の概略側面図。
【図３Ｃ】図２の組立反応装置の概略斜視図。
【図４Ａ】本発明の一実施態様による反応ブロックの一部切欠け概略正面図。
【図４Ｂ】図４Ａの反応ブロックの概略側面図。
【図４Ｃ】図４Ａの反応ブロックの概略上面図。
【図４Ｄ】図４Ａの反応ブロックの概略底面図。
【図４Ｅ】図４Ａの反応ブロックの概略斜視図。
【図５Ａ】本発明によるバンドの一実施態様の概略上面図。
【図５Ｂ】図５Ａのバンドの概略側面図。
【図５Ｃ】図５Ａのバンドの概略拡大上面図。
【図５Ｄ】本発明の好ましい実施態様による反応ブロックの対向面上に配置された対向凹み領域に載せたバンドの概略拡大斜視図。
【図６Ａ】本発明平行反応装置の頂部蓋の一実施態様の概略上面図。
【図６Ｂ】図６Ａの頂部蓋の概略上面斜視図。
【図６Ｃ】図６Ａの頂部蓋の概略底面図。
【図６Ｄ】図６Ａの頂部蓋の概略底面斜視図。
【図７Ａ】本発明による平行反応装置の底部蓋の一実施態様の概略上面図。
【図７Ｂ】図７Ａの底部蓋の概略上面斜視図。
【図７Ｃ】図７Ａの底部蓋の概略底面図。
【図７Ｄ】図７Ａの底部蓋の概略底面斜視図。
【図８】本発明の一実施態様による蓋の上に配置された突起の配列を含むガスケットシートの概略斜視図。
【図９】本発明の一実施態様による反応ブロック容器の概略拡大斜視図。
【図１０】本発明の各種局面を実現できる論理装置を含む代表例の合成システムを示すブロックダイアグラム。
【符号の説明】
【００８８】
１００      平行反応装置
１０２      反応ブロック
１０４      バンド
１０６      ラッチ本体
１０８      離昇式ヒンジ
１１０      頂部蓋
１１２      底部蓋
１１４      保持板又はクラスプ
１１６      突起
２００      平行反応装置
２０２      反応ブロック
２０４      バンド
２０６      頂部蓋
２０８      底部蓋
２１０      頂部ガスケットシート
２１２      底部ガスケットシート
２１４      反応ウエルの配列
２１６      反応ウエル
２１８      反応ウエルの入口部
２２０      反応ウエルの出口部
２２２      第一頂部ラッチ部品
２２４      第一底部ヒンジ部品
２２６      対向する凹み領域
２２８      第二頂部ヒンジ部品
２３０      第二頂部ラッチ部品（保持板）
２３２      開口配列
２３４      第二底部ヒンジ部品
２３６      第二底部ラッチ部品
２３８      整合構造
２４０      第一頂部ヒンジ部品
２４２      第一底部ラッチ部品２４２
４００      反応ブロック
４０２      反応ウエルの配列
４０４      反応ウエル
４０６      反応ウエルの入口部
４０８      反応ウエルの出口部
４１０      反応ブロック本体の上表面
４１２      反応ブロック本体
４１４      反応ブロック本体の下表面
４１６      凹部
４１８      遷移領域
４２０      対向する凹み領域
５００      組立てたバンド
５０２      第一バンド部
５０４      第二バンド部
５０６      締め具５０６
５０８      頂部ラッチ本体（回転可能な引抜き式ラッチ本体）
５１０      底部ヒンジ部品（雄型離昇式ヒンジ部品）
５１２      底部ラッチ本体
５１４      頂部ヒンジ部品
６００      頂部蓋
６０２      ヒンジ部品（離昇式ヒンジ部品）
６０４      保持板
６０６      開口の配列
６０８      凹み上面
６１０      開口
６１２      凹み底面
６１４      環状突出隆起
６１６      横方向張出し
６１８      整合構造
７００      底部蓋
７０２      ヒンジ部品（離昇式ヒンジ部品）
７０４      保持板
７０６      頂部凹み表面
７０８      横方向張出し
７１０      整合構造
７１２      底部凹み表面
８００      ガスケットシート
８０２      突起の配列
８０４      蓋の凹み領域
８０６      蓋
１０００    情報装置、デジタル装置又はコンピュータシステム
１００５    モニター
１００７    ＣＰＵ
１００９    入力装置
１０１１    入力装置
１０１５    ディスクドライブ
１０１７    媒体
１０１９    通信ポート又はネットワークポート
１０２０    サーバー
１０２２    固定媒体
１０２４    ハンドリングシステム
１０２６    検出システム
１０２８    平行反応装置
【図１】
2005501698.tif 000003
【図２】
2005501698.tif 000004
【図３Ａ】
2005501698.tif 000005
【図３Ｂ】
2005501698.tif 000006
【図３Ｃ】
2005501698.tif 000007
【図４Ａ】
2005501698.tif 000008
【図４Ｂ】
2005501698.tif 000009
【図４Ｃ】
2005501698.tif 000010
【図４Ｄ】
2005501698.tif 000011
【図４Ｅ】
2005501698.tif 000012
【図５Ａ】
2005501698.tif 000013
【図５Ｂ】
2005501698.tif 000014
【図５Ｃ】
2005501698.tif 000015
【図５Ｄ】
2005501698.tif 000016
【図６Ａ】
2005501698.tif 000017
【図６Ｂ】
2005501698.tif 000018
【図６Ｃ】
2005501698.tif 000019
【図６Ｄ】
2005501698.tif 000020
【図７Ａ】
2005501698.tif 000021
【図７Ｂ】
2005501698.tif 000022
【図７Ｃ】
2005501698.tif 000023
【図７Ｄ】
2005501698.tif 000024
【図８】
2005501698.tif 000025
【図９】
2005501698.tif 000026
【図１０】
2005501698.tif 000027
【国際公開パンフレット】
2005501698.tif 000028
2005501698.tif 000029
2005501698.tif 000030
2005501698.tif 000031
2005501698.tif 000032
2005501698.tif 000033
2005501698.tif 000034
2005501698.tif 000035
2005501698.tif 000036
2005501698.tif 000037
2005501698.tif 000038
2005501698.tif 000039
2005501698.tif 000040
2005501698.tif 000041
2005501698.tif 000042
2005501698.tif 000043
2005501698.tif 000044
2005501698.tif 000045
2005501698.tif 000046
2005501698.tif 000047
2005501698.tif 000048
2005501698.tif 000049
2005501698.tif 000050
2005501698.tif 000051
2005501698.tif 000052
2005501698.tif 000053
2005501698.tif 000054
2005501698.tif 000055
2005501698.tif 000056
2005501698.tif 000057
2005501698.tif 000058
2005501698.tif 000059
2005501698.tif 000060
2005501698.tif 000061
2005501698.tif 000062
2005501698.tif 000063
2005501698.tif 000064
2005501698.tif 000065
2005501698.tif 000066
2005501698.tif 000067
2005501698.tif 000068
2005501698.tif 000069
2005501698.tif 000070
2005501698.tif 000071
2005501698.tif 000072
2005501698.tif 000073
2005501698.tif 000074
2005501698.tif 000075
2005501698.tif 000076
2005501698.tif 000077
2005501698.tif 000078
2005501698.tif 000079
2005501698.tif 000080
2005501698.tif 000081
2005501698.tif 000082
2005501698.tif 000083
2005501698.tif 000084
2005501698.tif 000085
2005501698.tif 000086
2005501698.tif 000087
2005501698.tif 000088
2005501698.tif 000089
2005501698.tif 000090
2005501698.tif 000091
2005501698.tif 000092
2005501698.tif 000093
2005501698.tif 000094
2005501698.tif 000095
【国際調査報告】
2005501698.tif 000096
2005501698.tif 000097